(57)【要約】  揮発性材料を大気中に放射又は放出するための、エネルギー源を要しない揮発性材料デリバリーシステムを提供する。より具体的には、漏れ防止機能を有し、熱源、気体源、又は電流源なしに、蒸発表面装置を介して、非エアゾールでエネルギー源を要しない揮発性材料のデリバリーシステムを使用して１つ以上の揮発性材料を供給するためのデリバリーシステムも提供される。
2008538308.tif 000002
【特許請求の範囲】
【請求項１】
少なくとも１つの揮発性材料を含む、エネルギー源を要しない揮発性材料のデリバリーシステムであって、前記デリバリーシステムは、少なくとも１つの揮発性材料の連続的な維持水準放射及び／又は少なくとも１つの揮発性材料の一時的な増強水準放射を提供し、前記デリバリーシステムは、
ａ）少なくとも１つの流体貯蔵器を含む少なくとも１つの容器、
ｂ）少なくともいくらかの長手方向の露出部分を有する前記少なくとも１つの容器内に位置する少なくとも１つの蒸発表面装置開口部、
ｃ）前記少なくとも１つの蒸発表面装置開口部内と前記少なくとも１つの流体貯蔵器内とに少なくとも部分的に位置する、少なくとも１つの蒸発表面装置であって、前記揮発性材料に流体接続している蒸発表面装置、及び
ｄ）（ｉ）前記少なくとも１つの貯蔵器の上部、及び（ｉｉ）前記少なくとも１つの蒸発表面装置開口部に隣接の１つ以上の位置に位置する少なくとも１つの漏れ捕捉体を含み、
前記デリバリーシステムには、熱源、気体源、又は電流源がなく、前記少なくとも１つの揮発性材料はエアゾールにより機械的に供給されず、更に、前記容器は、前記揮発性材料の蒸発表面への時間制御放出を供給する更なる流体貯蔵器を有する、デリバリーシステム。
【請求項２】
前記少なくとも１つの蒸発表面装置が、整列した繊維ウィッキング部である、請求項１に記載のデリバリーシステム。
【請求項３】
前記整列した繊維ウィッキング部がその中にスリットを有する、請求項１又は２に記載のデリバリーシステム。
【請求項４】
前記少なくとも１つの蒸発表面装置が中空である、請求項１乃至３のいずれかに記載のデリバリーシステム。
【請求項５】
１つ以上の穴を有する保護装置を更に含み、前記保護装置が、前記蒸発表面装置開口部の全体又は一部分の上に配置される、請求項１乃至４のいずれかに記載のデリバリーシステム。
【請求項６】
前記保護装置が紙又は不織布材料から作られている、請求項１乃至５のいずれかに記載のデリバリーシステム。
【請求項７】
管を更に含む、請求項１乃至６のいずれかに記載のデリバリーシステム。
【請求項８】
前記揮発性材料デリバリーシステムが、消費者により、反転、ポンプ作用、ばね作用、振り、旋回、かき混ぜ、打ち当て、移動、動揺、回転、揺動、攪拌、揺らし、又は振動の１つ以上を使用して投与される、請求項１乃至７のいずれかに記載のデリバリーシステム。
【請求項９】
少なくとも２つの流体貯蔵器を含む、請求項１乃至８のいずれかに記載のデリバリーシステム。
【請求項１０】
少なくとも１つの漏れ捕捉体が、前記少なくとも１つの蒸発表面装置開口部に隣接して位置する、請求項１乃至９のいずれかに記載のデリバリーシステム。
【発明の詳細な説明】
【技術分野】
【０００１】
本発明は、揮発性材料を大気中に放射又は放出するためのデリバリーシステムに関する。より具体的には、本発明は、漏れ防止機能を有し、少なくとも１つの供給源から、蒸発表面装置を介して、１つ以上の異なる揮発性材料を供給するための、エネルギー源を要しないデリバリーシステムに関する。
【背景技術】
【０００２】
心地よい香気をもたらすために、揮発性組成物を空間の中へ、特に例えば浴室などの家庭空間の中へ蒸発させるのに、装置を使用することは一般に既知である。このような装置の最も一般的なものは、空気清浄剤組成物の微小液滴を大気中へ押出すエアゾール容器である。別の一般的な種類の分配装置は、乾燥して小さくなるときに気化した空気処理組成物を大気中へ放出する一群のゼラチン状物質を収容又は支持する皿である。防臭剤ブロックのような他の製品は、蒸発によって空気処理蒸気を大気中へ分配するのにも使用される。別の類の蒸気分配装置は、蒸発性組成物を含浸した又はそれでコーティングされたボール紙のようなキャリア材料を利用する。様々なこのような装置が販売されており、例えば、アジャスタブル（ADJUSTABLE）（登録商標）（ダイアル社（Dial Corp.）製）又はデュエット（DUET）（登録商標）２イン１ゲル＋スプレー（2 in 1 Gel + Spray）（Ｓ．Ｃ．ジョンソン社（S.C.Johnson）製）がある。一般に、前記装置は、香料又は芳香剤の供給源、芳香を制御するための調整可能な最上端部及び／又は噴霧器から成る。芳香剤の供給源内（受動的ディスペンサー）の開口部を調節することにより、香料又は芳香剤は、装置が置かれている空間に連続的に供給される。噴霧器（能動的ディスペンサー）を適用することにより、香料又は芳香剤は、装置が供給されている空間に一時的に供給される。
【０００３】
この仕組みに関わる問題点は、その空間を占める人が香料又は芳香剤にたちまち慣れて、しばらくすると、芳香剤の強さを強いと感じなくなり、あるいは全く気付かない場合もあることである。これは、慣れと呼ばれる周知の現象である。慣れの問題を取り扱おうとした取り組みが、米国特許出願公開第５，７５５，３８１号（ヤザキ・セイイチ（Seiichi Yazaki））に記載されている。ヤザキ特許は、均一な芳香濃度で芳香性液体から芳香を一定期間放射するための芳香放出装置を開示している。前記装置は、分割プレートで上部区画と下部区画に区切られた容器であって、上カバー部分と下カバー部分を貫通しているエアーチューブを有する容器を備えている。上部区画と下部区画とが互いに通じ合えるように、穿孔が分割プレートに設けられている。上部区画に空気が入ると、上部区画に保持されている芳香性液体が穿孔を通じて分割プレートの中へ流れ落ちて、下側の区画の空いている部分に蓄積する。香気を含む空気は、下部区画のエアーチューブから放出される。上部区画内の芳香性液体が下部区画へ完全に移動すると、香気を含む空気の放射が停止する。前記装置は、装置の容器をいつでも上下逆さまにして置くことによって繰り返し使用できる。しかしながら、ヤザキ特許は、漏刻として機能できる装置に向けられているように思われる。すなわち、流体が上部区画から下部区画へ移動すると、この装置は香りの良い芳香剤を放射し、その後、流体移動が完了すると放射を停止する。ヤザキ特許には、香料又は香りの良い芳香剤を供給するために蒸発表面装置を使用することが記載されておらず、むしろ、ヤザキの装置の香気を含む空気は、下部区画内に位置するエアーチューブの使用によって放出される。更に、ヤザキの香りの良い芳香剤は、一時的な放射として供給される。それは、特に連続しないように設計されている。
【０００４】
蒸発表面装置機器類（ウィッキング装置、など）は、芳香剤、防臭剤、殺菌剤又は殺虫剤活性剤のような揮発性液体を大気中に分配することで周知である。典型的な蒸発表面装置は、揮発性液体を液体流体貯蔵器から分配するために、ウィッキング部と発散領域との組み合わせを利用する。蒸発表面装置については、米国特許第１，９９４，９３２号、同第２，５９７，１９５号、同第２，８０２，６９５号、同第２，８０４，２９１号、同第２，８４７，９７６号、同第３，２８３，７８７号、同第３，５５０，８５３号、同第４，２８６，７５４号、同第４，４１３，７７９号、及び同第４，４５４，９８７号に記載されている。
【０００５】
理想的には、蒸発表面装置は、できる限り単純で、ほとんど又は全く保守の必要がなく、また揮発性材料を、指定された領域に規則的でかつ制御された速度で分配できると同時に、その放射の完全性を装置の耐用期間にわたって維持するような様式で機能すべきである。残念なことに、市販されているほとんど全ての比較的単純な非エアゾール式装置は、同じ制限に悩んでいる。揮発性の高い構成成分が最初に取り除かれ、揮発性の低い構成成分が後に残るという事実に起因して、放射は、装置の耐用期間の間に歪んでくる。組成物のこの経時変化は、揮発性の低い構成成分ほど遅く蒸発することから、結局は芳香剤の強度を弱めることとなる。より良い空気清浄装置を考え出そうとしている者の注意の多くを占めているのは、これら２つの問題、すなわち芳香剤材料の寿命にわたる強度低下と歪みである。表面からの蒸発に依存する実用上全ての装置が、上記短所に悩んでいる。大抵の装置では、ウィッキング部、ゲル又は多孔質の表面は単に、芳香剤材料がより迅速に蒸発できる、より大きな表面積を提供するが、液体自体の表面からのように、分溜がまだ生じており、その結果、より揮発性の高い構成成分が蒸発した途端に、芳香剤の初期バーストが生じ、その後、より強度の低い期間が続く。この分溜、及び恐らくは不溶性物質の沈殿に基づくウィッキング部の目詰まりとの組み合わせに起因して、蒸発表面装置は正常に機能しなくなり始める。芳香剤が歪み始めると、放射強度は感知できる程度に低下する。
【０００６】
揮発性材料のデリバリーシステムに関する他の問題には、香りの強度が時間と共に着実に減衰することと、香りの強度を要求に応じて制御するために、消費者が限られた能力しか有しないこととが挙げられる。前記問題を解決しようとする試みは、多くの場合、能動的ディスペンサーの特徴と受動的ディスペンサーの特徴とを組み合わせることを必要とする。これらの組み合わされた装置の目標は、即効を目的として分散性材料のバーストで大気を向上させるのみならず、長持ちする連続的な蒸発性効果をも与える能力を提供することである。このような試みの例は米国特許第３，９７２，４７３号（ハリソン（Harrison））に記載されており、前記特許には、エアゾール容器と開放カップディスペンサーとを備えた、スプレーと蒸発性とを組み合わせた空気清浄器が教示されている。組み合わされた連続及び瞬間操作に適応した別のかかるディスペンサーが、米国特許第５，３６４，０２７号（クーン（Kuhn））に記載されており、ここでは、液状の分散性物質用の変形可能な容器に２つの浸漬管状経路が取り付けられており、そのうち一方はスプレーノズルを終端とし、他方は液体を蒸発させる蒸発表面装置又は同等の吸収性材料を含んでいる。米国特許第４，７２６，５１９号（ムオイオ（Muoio））にも、空気処理組成物を瞬間的のみならず連続的にも分配する装置が教示されている。前記装置には、空気処理液体を含む加圧容器と吸収性部材とが含まれる。前記装置は、空気処理液体を、空気中に噴霧すると同時に吸収性部材中へも放出することができる。米国特許第４，０８４，７３２号のダーリン（Dearling）の装置は、空気中への噴霧と連続分配手段の再充填とを同時に行うように操作及び調節することができる。欧州特許第１０７６０１４号（ファーナー（Furner）ら）には別の取り組みが記載されている。前記ファーナー特許には、揮発性材料の受動的ディスペンサーと組み合わせて能動的なエアゾールスプレーディスペンサーを兼ね備えた、二重機能のディスペンサーが開示されている。前記ファーナー特許に記載の能動的ディスペンサーには、次の噴霧器：加圧式、エアゾール、ベローズ、空気置換式（air displacement）及びポンプ作用式ディスペンサーが包含され、これには圧縮ガス状活性物質の流体貯蔵器が含まれる。
【０００７】
ヤザキ特許と同様に、上記公報に記載されている様々な装置は、多数の実用的問題及び欠点があり、それらが使用に関して装置を効果のないように及び／又は非経済的にする。消費者は、周期的な新鮮なバーストに加えて、改善された一貫性の芳香剤を長期間にわたってより楽しむことができる、相互作用的な嗅覚的経験を提供するエネルギー源を要しない装置を要望している。上記特許のいくつかは人的相互作用を必要とするが、要望に応じた一時的な高い香り強度（増強水準放射（boost level emission））と共に、更なる消費者の相互作用を伴わずに、連続的なベースラインの香り強度（維持水準放射（maintenance level emission））へ自動的に戻ることを提供することができるエネルギー源を要しない装置は、どの特許にも記載されていない。蒸発表面装置機器類を必要とする公報には、蒸発表面装置における揮発性材料の流れ方向を周期的に反転させることによる、長時間にわたる香り強度及び特徴忠実性の改善について教示しているものがない。揮発性材料の増強用の一時的な放射水準を提供した後で揮発性材料のベースラインの放射水準へ自動的に戻る、エネルギー源を要しない非エアゾール式スプレー装置は開示されていない。更には、揮発性材料の分溜（分割など）又は蒸発表面装置機器の目詰まりに関する問題を軽減するために蒸発表面装置を洗い流すことを提供する、エネルギー源を要しない非エアゾール式装置についても何ら教示されていない。
【発明の開示】
【発明が解決しようとする課題】
【０００８】
強度制御の概念を消費者にとって望ましい有益な方法へ変換するための、エネルギー源を要しない揮発性材料のデリバリーシステムの能力に加えて、慣れ、香りの減衰、分溜及びウィッキング部の目詰まりに関する問題の解決策が求められている。維持水準放射に自動的に戻ることに加えて、増強水準放射が提供される方法の簡易さに関する改善された審美性、及びそれによって創り出される動的で相互作用的な嗅覚的経験が、エネルギー源を要しない非エアゾール式の装置を非常に望ましいものにする。
【課題を解決するための手段】
【０００９】
デリバリーシステムの多数の実施形態が本明細書に記述されているが、その全ては、非限定例であることが意図されている。本発明の一態様では、エネルギー源を要しない揮発性材料のデリバリーシステム（以下、「デリバリーシステム」）が提供される。前記デリバリーシステムは、少なくとも１つの揮発性材料を含み、少なくとも１つの揮発性材料の連続的な維持水準放射及び／又は少なくとも１つの揮発性材料の一時的な増強水準放射を提供する。前記デリバリーシステムには、熱源、気体源、又は電流源がなく、また前記少なくとも１つの揮発性材料は、エアゾールによって機械的に供給されない。前記デリバリーシステムは、（ａ）少なくとも１つの流体貯蔵器を含む少なくとも１つの容器、（ｂ）前記少なくとも１つの容器内に位置する少なくとも１つの蒸発表面装置開口部、（ｃ）少なくともいくらかの長手方向の露出部分を有し、蒸発表面装置開口部内と流体貯蔵器内とに少なくとも部分的に位置する、少なくとも１つの蒸発表面装置であって、揮発性材料に流体接続している蒸発表面装置、（ｄ）貯蔵器の上部及び／又は蒸発表面装置開口部に隣接して位置する、少なくとも１つの漏れ捕捉体、（ｄ）所望により少なくとも１つのバイパスチューブ、並びに（ｅ）所望により１つ以上の第２の蒸発表面装置を更に含んでもよい。
【００１０】
本発明の別の態様では、デリバリーシステムは、横に倒れたときに揮発性材料の流出を低減するように構成される。前記少なくとも１つの揮発性材料は、様々な揮発性材料、並びに不揮発性材料を、任意の量で含有する組成物であってよい。前記１つ以上の揮発性材料は、デリバリーシステムの耐用年数にわたって様々な揮発度を有していてよい。消費者は、均一な放射を提供するため、及び例えば悪臭制御のために所望の嗅覚効果の認識を高めるために、蒸発表面装置へ供給される揮発性材料の容量を制御することができる。本明細書に記載のデリバリーシステムは、収集ボウル、ポンプ、及びばね作用装置を含むが、これらに限定されない、いかなる種類の投与装置をも含むことができる。
【００１１】
本発明の更に別の態様では、キットが提供される。キットは、（ａ）包装、（ｂ）使用説明書、及び（ｃ）少なくとも１つの揮発性材料を含むエネルギー源を要しない揮発性材料のデリバリーシステムを備え、前記デリバリーシステムは、少なくとも１つの揮発性材料の連続的な維持水準放射及び／又は少なくとも１つの揮発性材料の一時的な増強水準放射を提供し、前記デリバリーシステムには熱源、気体源又は電流源がなく、前記揮発性材料は、エアゾールによって機械的に供給されない。
【発明を実施するための最良の形態】
【００１２】
本発明は、揮発性材料を大気中に放射又は放出するためのデリバリーシステムに関する。いくつかの実施形態において、本発明は、維持水準放射モード中及び／又は増強水準放射モード中に少なくとも１つの揮発性材料を供給するデリバリーシステムに関する。添付の図面を見れば、本明細書に記載のデリバリーシステムの実施形態が多数あることを理解できるはずであるが、それらは全て、非限定的な例とするものである。
【００１３】
定義
本明細書で使用するとき、「揮発性材料」という用語は、蒸発性材料、又は蒸発性の１つ以上の材料を含む別個のユニットに言及するか、あるいはエネルギー源を必要とせずに蒸発性の材料を含む。いかなる量又は形態の、いかなる好適な揮発性材料も使用することができる。したがって、用語「揮発性材料」には、もっぱら単一の揮発性物質から成る組成物が含まれる（が、これに限定されない）。用語「揮発性材料」はまた、１を超える揮発性構成成分を有する組成物に言及すること、及び前記揮発性材料の構成物質の全てが揮発性である必要はないことを理解すべきである。したがって、本明細書に記載の揮発性材料は、不揮発性構成成分を有していてもよい。揮発性材料が本明細書中で「放射される」又は「放出される」と記載される場合、これは、揮発性構成成分の揮発に言及すること、及び不揮発性構成成分が放射される必要性はないことも理解すべきである。本明細書において対象の揮発性材料は、これらに限定されるものではないが、固体、液体、ゲル、及びこれらの組み合わせを含む好適ないかなる形態でもあり得る。揮発性材料は、カプセル封入されていてもよく、蒸発表面装置（例えば、蒸発表面装置）において使用でき、また揮発性材料で含浸されているか又はそれを含有する多孔性材料及びこれらの組み合わせのような、キャリア材料と組み合わせることができる。いかなる好適な量又は形態の、いかなる好適なキャリア材料も使用することができる。例えば、デリバリーシステムは、１つ以上のキャリア材料（例えば、水、溶媒、など）中の１つ以上の供給源からの単相組成物、多相組成物及びこれらの組み合わせを含む揮発性材料を含有していてよい。
【００１４】
本明細書で使用するとき、「揮発性材料」、「香気」及び「放射」という用語は、これらに限定されるものではないが、心地よいにおい又は良いにおいを含み、そのため、芳香剤、空気清浄剤、防臭剤、消臭剤、悪臭中和剤、殺虫剤、防虫剤、薬物、殺菌剤、消毒剤、ムード増強剤（mood enhancers）、及びアロマテラピー助剤として機能する材料、又は大気若しくは環境を調整、変性、それでなければ大気若しくは環境を満たすように作用する物質を用いていかなる他の好適な目的を果たす材料も包含する。これらに限定されるものではないが、香料、芳香物質、及び放射された物質を含む特定の揮発性材料は、多くの場合、（揮発性物質の収集物から成る独特の及び／又は別個のユニットを形成する可能性のある）１つ以上の揮発性組成物から成ることを理解すべきである。例えば、悪臭制御組成物としては、臭気中和材料、臭気遮断材料、臭気マスキング材料、及びこれらの組み合わせが挙げられるが、これらに限定されない。
【００１５】
「コヴァッツインデックス」（ＫＩ又は保持指標）は、クロマトグラフィーカラム上への溶質又は香料原料（ＰＲＭ）の選択的保持により定義される。主として、カラム固定相及び溶質又はＰＲＭの性質により判断される。あるカラムシステムにおいて、ＰＲＭの極性、分子量、蒸気圧、沸点及び固定相の性質が、保持の程度を決定する。あるＧＣカラム上の検体の保持を系統的に表すために、コヴァッツインデックス（又は保持指標）と呼ばれる指標を定義する。コヴァッツインデックス（ＫＩ）は、カラム上の検体（又はＰＲＭ）の揮発属性と、同一カラム上のｎ−アルカン系の揮発特性との関係を位置づけたものである。用いられる典型的なカラムは、ＤＢ−５及びＤＢ−１である。
【００１６】
この定義により、ノルマルアルカンのＫＩは１００ｎに設定され、ここでｎはｎ−アルカンの炭素原子数である。この定義を用い、時間ｔ’で溶出される場合、補正保持時間ｔ’n及びｔ’Nをそれぞれ有する炭素原子数ｎ及びＮの２つのｎ−アルカンの間のＰＲＭのコヴァッツインデックスｘは、以下のように計算される。
【００１７】
【数１】
2008538308.tif 000003
【００１８】
デリバリーシステムは、香油の形態の揮発性材料を含有することができる。最も常套的な芳香剤材料は揮発性精油である。揮発性材料は、一般に香料の供給元から入手可能な１つ以上の揮発性有機化合物を含んでいてよい。更に、前記揮発性材料は、合成的又は自然に形成された材料でもあり得る。例としては、これらに限定されないが、ベルガモット、橙、レモン、マンダリン、ヒメウイキョウ、ニオイヒバ（cedar leaf）、クローブリーフ、シダーウッド、ゼラニウム、ラベンダー、オレンジ、オリガナム、プチグレン、ヌマヒノキ、パチョリ、ラバンジン、ネロリ（neroili）、ローズアブソリュートなどの油が挙げられる。放射された物質又は芳香剤の場合、異なる揮発性材料は、類似するか、関連しているか、相補的であるか、又は対照的であることができる。
【００１９】
更に、香料の処方は、特定のＫＩ値を持つ香料成分（香料原料「ＰＲＭ」とも呼ばれる）を選択することによって、より目立つように作られることができる。１つの実施形態では、香料成分の約９５重量％が約１７００ＫＩ未満である香料処方（非極性シリコーン固定相として５％のフェニル−メチルポリシロキサンで測定）を使用することによって、より目立つようにすることができる。好ましくは、香料成分の約９７重量％が約１７００ＫＩ未満である。より好ましくは、揮発性材料は、約１７００を超えるコヴァッツインデックスを有する香料成分を本質的に含まない。別の実施形態では、揮発性材料が約１０００未満のコヴァッツインデックスを有する香料成分を本質的に含まない香料処方を用いることによって、香料の特徴的稠度（character consistency）を改善することができる。
【００２０】
１つの実施形態では、揮発性組成物は、
・ＫＩ＜１６００のＰＲＭ、約８０％
・ＫＩ＞１６００かつ＜１８００、約１５％
・ＫＩ＞１８００のＰＲＭ、５％未満を含有する。
【００２１】
別の実施形態では、揮発性組成物は、
・ＫＩ＜１６００のＰＲＭ、約９０％
・ＫＩ＞１６００かつ＜１８００、約７．５％
・・ＫＩ＞１８００のＰＲＭ、２．５％未満を含有する。
【００２２】
別の実施形態では、揮発性組成物は、
・ＫＩ＜１６００のＰＲＭ、約９５％
・ＫＩ＞１６００かつ＜１８００、約５％
・ＫＩ＞１８００のＰＲＭ、０％未満を含有する。
【００２３】
揮発性材料はまた、周囲温度で蒸気相へ昇華する能力又は液体若しくはゲルに香りを与えるのに用いられる能力を有する結晶性固体の形態が起源であってよい。いかなる好適な量又は形態の、いかなる好適な結晶性固体も使用することができる。例えば、好適な結晶性固体として、バニリン、エチルバニリン、クマリン、トナリド、カロン、ヘリオトロペン、ムスクキシロール、セドロール、ムスクケトンベンゾヘノン（musk ketone benzohenone）、ラズベリーケトン、メチルナフチルケトンβ、サリチル酸フェニルエチル、ベルトール、マルトール、メープルラクトン、プロオイゲノールアセテート、エヴェミルなどが挙げられるが、これらに限定されない。
【００２４】
しかしながら、放射の習慣化の問題を避けるために異なる揮発性材料が使用されている場合、揮発性材料が余りに類似しているのは望ましくないことがあり、さもなければ、放射を経験している人が、異なる放射が放射されていることに気付かない場合がある。異なる放射は、共通のテーマ又は何か他の方法により相互に関連付けられることができる。異なるが相補的な放射の例は、桂皮の放射とリンゴの放射であろう。例えば、異なる放射は、それぞれが異なる揮発性材料を提供する複数のデリバリーシステムを用いて提供することができる（例えば、じゃこう、フローラル、フルーツの放射など）。
【００２５】
特定の非限定的な実施形態において、揮発性材料の維持水準放射は、実質的に全ての揮発性材料がデリバリーシステム供給源から同時に使い尽くされるまで、均一な強度を示すことができる。言い換えると、維持水準放射の特徴を示す場合、均一性は、揮発性材料のデリバリーシステムの耐用期間にわたる、実質的に一定の揮発度という言葉で表すことができる。維持水準放射に係る「連続的な」という用語は、全ての揮発性材料が実質上使い果たされるまで連続して放射する均一な維持水準放射モードを提供すること（及び、所望により、揮発性材料の供給源が１つ以上ある場合、このことがほぼ同時に生じること）がデリバリーシステムには望ましいが、維持水準放射には、放射が途切れている期間も含み得ることを意味する。維持水準放射の供給は、いかなる好適な長さの期間とすることもでき、３０日まで、６０日まで、９０日まで、より短い又はより長い期間、あるいは３０〜９０日の間の任意の期間を含むが、これらに限定されない。
【００２６】
特定の他の非限定的な実施形態において、増強水準放射モードが人的相互作用によって作動するとき、より高く、所望により均一な強度の揮発性材料が好適な放射期間にわたって放射され、その時点で、デリバリーシステムは、更なる人的相互作用を伴わずに、維持水準放射モードでの揮発性材料の供給へ自動的に戻ることができる。増強水準放射に関する「一時的な」という用語は、増強水準放射が、人的相互作用によって作動及び／又は制御された後で、限られた時間、より高い強度で放射されるのが望ましいが、前記増強水準放射には、放射が途切れている期間も含まれ得ることを意味する。理論に縛られるものではないが、増強水準放射のより高い強度は、多数の要因に左右されると考えられる。これら要因のいくつかとしては、揮発性材料の「香料効果」、増強水準放射を提供するために蒸発表面装置へ供給される揮発性材料の容量、増強水準放射のために供給源から入手可能な揮発性材料の供給速度、及び増強水準放射の供給中の蒸発表面装置の利用可能な表面積が挙げられるが、これらに限定されない。
【００２７】
いかなる好適な揮発性材料、並びにいかなる好適な揮発性材料容量、供給速度、及び／又は蒸発表面積も、増強水準放射の強度を高める及び／又は制御するために使用されてもよい。好適な容量、供給速度、及び表面積は、増強水準放射が維持水準放射より高いか又はそれと同等の放射強度を示すものである。例えば、より多くの容量の揮発性材料を蒸発表面装置へ提供することによって、消費者が増強水準放射の強度を高める及び／又は制御することができる。蒸発表面装置へ供給される揮発性材料の容量も、特定の容量を有する特定の投与装置を用いて制御されることができる。特定の容量を蒸発表面装置の中へ推し進めるために、収集ボウルを使用してもよい。収集ボウルは、いかなる好適な材料、大きさ、形又は構造で作られていてもよく、いかなる好適な容量の揮発性材料をも収集することができる。例えば、デリバリーシステムは、単位用量室（dose chamber）などの収集ボウルを含んでいてよく、それを、増強水準放射を作動するため少なくともいくらかの揮発性材料で少なくとも部分的に満たすことができる。単位用量室は、制御された容量の揮発性材料を蒸発表面装置などの蒸発表面装置へ提供する。他の投与装置としては、ポンプ及びばねの作用の装置を挙げることができる。
【００２８】
「蒸発表面装置」という用語には、揮発性材料の少なくともいくらかを蒸発させることが可能ないかなる好適な表面もが含まれる。いかなる好適な大きさ、形、形態、又は構造を有するいかなる好適な蒸発表面装置も使用することができる。好適な蒸発表面装置は、これらに限定されるものではないが、天然物質、人工材料、繊維性材料、非繊維性材料、多孔質材料、非多孔質材料、及びこれらの組み合わせを含むいかなる好適な材料からも作られる。本明細書で使用される蒸発表面装置は、無炎性であって、任意の種類（例えば、液体）の揮発性材料（芳香剤、防臭剤、殺菌剤又は殺虫剤活性剤など）を大気中に分配するのに使用されるいかなる装置をも含む。特定の非限定的な実施形態において、典型的な蒸発表面装置は、ウィッキング部、ゲル、及び／又は多孔性表面の組み合わせと、揮発性液体を液体流体貯蔵器から分配するための発散領域とを利用する。
【００２９】
上述のように、供給速度又は蒸発表面積におけるいかなる好適な増大も、増強水準放射の強度を高める及び／又は制御するのに有用である。「供給速度」は、揮発性材料が、貯蔵用の容器又は流体貯蔵器に戻る前に蒸発表面装置上で蒸発すべき時間に関する。揮発性材料を蒸発表面装置に供給するのに好適な手段には、反転、ポンプ作用、ばね作用、振り、旋回、かき混ぜ、打ち当て、移動、動揺、回転、揺動、攪拌、揺らし、又は振動を挙げることができるが、これらに限定されない。例えば、１つ以上の蒸発表面装置（第１のウィッキング部又は第２のウィッキング部、など）のデリバリーシステムへの追加によって、強度を高めるために表面積を大きくすることができる。第２の蒸発表面装置の表面積は、第１の蒸発表面装置の表面積よりも約１〜約１００倍大きな範囲に及ぶことがある。所望により、第２の蒸発表面装置は、他の蒸発表面装置と流体連通していることができる。
【００３０】
特定の非限定的な実施形態において、増強水準放射は、第１の蒸発表面装置及び／又は第２の蒸発表面装置の両方からの揮発性材料放射を含んでもよい。増強水準放射は、任意の好適な放射持続時間の増強放射プロファイルを示すことができる。例えば、好適な増強水準放射持続時間としては、１０分間以下から、又は約１０分〜約２時間、あるいは、約２時間〜約２４時間の持続時間が挙げられるが、これらに限定されない。
【００３１】
いくつかの非限定的な実施形態において、デリバリーシステムは、蒸発表面装置における揮発性材料の流れ方向を周期的に逆転させることによって、長期にわたってその特徴忠実性を維持することができる。例えば、デリバリーシステムの特徴忠実性は、長期間にわたって、少なくとも１つの揮発性材料の分溜（分割効果、など）のために、又はウィッキング部の目詰まりによって、低下することがある。分溜とウィッキング部の目詰まりの両方に対する解決策は、好適な持続時間にわたる蒸発表面装置上における好適な流れの逆転を提供することである。例えば、蒸発表面装置の好適な流れの逆転は、増強水準放射の作動と好適な持続時間にわたる放射とから成り得る。この場合、反転、ポンプ作用、又はばねの作用によって結果として生じる蒸発表面装置の揮発性材料の流れの逆転は、望ましくない不溶性の沈殿、分溜及び／又は分割効果のいくらかを取り除くのに十分な様式で、ウィッキング部を実質的に洗い流すことができる。したがって、特徴忠実性は、増強水準放射の間にウィッキング部を洗い流すことによって少なくとも部分的に修復される。この方法では、デリバリーシステムに収容される異なる揮発性材料の範囲全体が簡単な工程であると感じることによって、動的で相互作用的な嗅覚的経験を消費者が再生することができる。
【００３２】
いくつかの非限定的な実施形態では、ウィッキング部は整列した繊維ウィッキング部である（すなわち、「焼結」）。このようなウィッキング部は、揮発性材料の流れの指向性を増大させることによって、香料の封じ込めを改善させる（圧縮又は「非晶質」のウィッキング部と比較して）。１つの実施形態では、整列した繊維ウィッキング部は、ポリエステル／ポリオレフィンブレンドから作られている。このようなブレンドは、純ポリエステルほど香料組成物の成分を吸収しないため、過剰な香料のより速い移動をもたらし、ウィッキング部の飽和及び漏れの事故を減らす。別の実施形態では、ウィッキング部は、約０．１ｇ／ｃｍ3〜約０．２ｇ／ｃｍ3の平均密度を有する。好ましくは、ウィッキング部は、約０．１２ｇ／ｃｍ3〜約０．１８ｇ／ｃｍ3の平均密度を有する。より好ましくは、ウィッキング部は、約０．１４ｇ／ｃｍ3の平均密度を有する。別の実施形態では、整列した繊維ウィッキング部は、漏れを更に低減させるために、オーバーラップと通常呼ばれる多孔質の材料又は膜で包まれている。
【００３３】
別の実施形態では、ウィッキング部は中空である。これは、製造及び組立を簡単にする。中空ではないウィッキング部の場合、ユニットを反転させたとき、揮発性材料の一定体積が単位容量室内で維持され、過剰な揮発性材料は、外側経路を通ってユニットの横を流れることができる。この場合、内側ウィッキング経路と外側経路とを考慮に入れる金型を用いて組み立てられなければならないため、ユニットの組立は困難である。これは、極めて大きな労働力を要することに加えて、低隙間許容値（low clearance tolerance）を有する高精度の成形を必要とする、複雑なプロセスである。中空のウィッキング部を使用することにより、容易さを改善することができる。この設定においては、過剰な揮発性材料は、外側経路ではなく、ウィッキング部の中心を貫通することができる。これにより、内側及び外側経路の複雑なシステムは不要なため、ユニットは、ウィッキング部の上と下から組み立てられることができる。ウィッキング部の両端は、ウィッキング部の周りにきつく嵌め込まれて揮発性材料を収容する貯蔵器の開口部に挿入される（図１及び図６）。
【００３４】
別の実施形態では、整列した繊維ウィッキング部は、異なる密度を有する同心円状に環状の領域を有する。これにより、流体の流れのパターンに関する制御を改善できる。いくつかの実施形態では、整列した繊維ウィッキング部は、ある密度を有する同心円状に環状の内側領域、及び異なる密度を有する同心円状に環状の外側領域を有し、ここで内側領域は外側領域よりも低い密度を有する。この状況において、ウィッキング部が円筒形であるなら、「内側」は円筒の軸に位置し、「外側」はウィッキング部の外面に位置する。別の実施形態では、内側領域は外側領域よりも高い密度を有する。更に、異なる密度の複数（３つ又はそれ以上）の同心円状の環状領域を使用することができる。
【００３５】
他の非限定的な実施形態において、本明細書に記載のデリバリーシステムは、香りを与えること、悪臭制御、及び防虫剤などのもののために使用することができる。例えば、室内、又は所望によりピクニックテーブルの上などの戸外に置く場合、香りを与えること及び悪臭制御以外に、近くにいる虫の数に応じて放射水準を調節することによって虫防除ができる。虫による不快感があまりないときは、消費者を快適にさせるのには維持水準放射で恐らく十分である。しかしながら、蚊やサシバエなど、多数の虫が苦になるときは、消費者は、増強水準放射を供給するように選択することができる。
【００３６】
図面
図１は、少なくとも１つのウィッキング開口部１８（及び１９）を備えた少なくとも１つの容器１（及び２）、少なくとも１つのウィッキング部５、少なくとも１つの流体貯蔵器６（及び７）、並びに少なくとも１つの揮発性材料８を含む、デリバリーシステム２０の非限定的な実施形態の断面図を表す。前記デリバリーシステム及びその構成要素は、いかなる好適な大きさ、形、構造、又は種類で、いかなる好適な材料から作られていてもよい。好適な材料としては、金属、ガラス、天然繊維、セラミック、木材、プラスチック、及びこれらの組み合わせが挙げられるが、これらに限定されない。容器１（及び２）は、外観検査に付されるときのみならず、消費者が使用中に持ち上げて操作するときは、デリバリーシステム２０の外面を構成していてよく、又は容器１（及び２）はシェル（図示せず）の中に収納されていてもよい。ウィッキング部５は、少なくともいくらかの部分が大気に露出している。ウィッキング開口部１８（及び１９）は、いかなる使いやすい大きさ及び形とすることもでき、また容器１（及び２）のどこに位置していてもよい。前記少なくとも１つのウィッキング開口部１８（及び１９）は、維持水準放射及び／又は増強水準放射モードの間に、前記少なくとも１つのウィッキング部５を介して揮発性材料８を大気中へ供給する手段を可能にする。特定の非限定的な実施形態において、容器１（及び２）は、望ましくは視覚的に魅力がある外側シェル（図示せず）であって、蒸発性分配を行っている間、最大効力のために使用領域内の見える所に置いておくことができる好適な寸法の外側シェル（図示せず）の中に収納されていてよい。１つを超える容器１及び２がある場合、これらは、図に示すように向かい合わせて接続及び／又は流体接続されていてよい。
【００３７】
別の実施形態では、容器は、前記揮発性材料の蒸発表面への時間制御放出を供給する更なる流体貯蔵器を有してもよく、結果として一時的な増強の持続時間を長くする。この時間制御放出は、様々な方法によってもたらされることができるが、それには、更なる流体貯蔵器の底部全体若しくは一部に多孔質の膜を形成させること、又は更なる流体貯蔵器の底部に１つ以上の小さい穴を有することが挙げられる。
【００３８】
１つの非限定的な実施形態において、容器１及び２は、大気への少なくともいくらかの長手方向の露出部分を有するウィッキング部５を備えた蒸発表面装置を介して流体連通している。容器１（及び２）は、デリバリーシステム２０のいずれかの他の好適な構成要素に取り付けられていてよい。例えば、容器１及び２は互いにウィッキング部５を介して、シェル若しくはハウジング（図示せず）の一部として、又はいずれかの他の好適な手段によって取り付けられていてよい。ウィッキング部５は、ある時間少なくともいくらかの揮発性材料８と流体接触している。揮発性材料５は、流体貯蔵器６又は７のどちらかに貯蔵できる。ウィッキング部５の長手方向部分は、維持水準放射モードと増強水準放射モードの両方の間に揮発性材料８の好適な放射速度を可能にするのに十分な露出したウィッキング部５表面積を提供する。容器１及び２とそれらの関連する流体貯蔵器６及び７は、接続された時点で、ウィッキング部５を介して又はいずれかの他の好適な手段（例えば、囲まれた経路又は管）によって、互いに流体連通することができる。放射のための蒸発表面を提供することの他に、容器１及び２をウィッキング部５と接続させることの別の目的は、消費者がデリバリーシステム２０を反転させたときに、蒸発又は放射されない過剰の揮発性材料８が重力によって、上部の容器１から、下部の容器２内に収集及び貯蔵されるために実質的に漏れずに移動するための道を提供することである。
【００３９】
ウィッキング取り付け部品３（及び４）は、少なくともいくらかの揮発性材料８をデリバリーシステム２０内に保持するための封止として機能することができる。ウィッキング取り付け部品３（及び４）は、ウィッキング部５及び／又は任意の構成要素をデリバリーシステム２０内のいずれかの構成要素に密閉可能に取り付けるように、いかなる好適な大きさ、形又は構造で、いかなる好適な材料から作られていてもよい。ウィッキング取り付け部品３（及び４）は、ウィッキング部５がデリバリーシステム２０の非ウィッキング部分から揮発性材料８を実質的に漏らすことなく取り込み投与するのを助けるように、デリバリーシステム２０のいずれかの部分に取り付けることができる。ウィッキング取り付け部品３（及び４）は、ウィッキング開口部１８（及び１９）の中に挿入することができ、前記ウィッキング開口部１８（及び１９）は、ウィッキング部５又は他のいかなる好適な構成要素（図示せず）もがウィッキング開口部１８（及び１９）を通って流体貯蔵器６（及び７）の少なくとも一部に入ることができるように、容器１（及び２）表面上のいずれかの好適な場所に位置している。前記少なくとも１つのウィッキング開口部１８（及び１９）及びウィッキング取り付け部品３（及び４）は、ウィッキング部５及び任意の他の構成要素に適応でき、かつ消費者がデリバリーシステム２０を反転又は転倒させた場合に、デリバリーシステム２０からの過剰の揮発性材料８の漏れを最小限にするような寸法にする。
【００４０】
ウィッキング部５は、少なくともいくらかの部分を大気に露出させることによって揮発性材料８の放射を可能にするウィッキング部として機能するように、いかなる好適な大きさ、形、又は構造でいかなる好適な材料から作られることもできる。ウィッキング部５は、容器１（及び２）内のどの好適な場所に位置していてもよい。ウィッキング部５は、容器１（及び２）、ウィッキング開口部１８（及び１９）、及び／又はウィッキング取り付け部品３（及び４）の中に少なくとも部分的に位置し、容器１（及び２）の流体貯蔵器６（及び７）内に貯蔵されている揮発性材料８と流体接続されていてもよい。ウィッキング部５は、流体貯蔵器６（及び７）の内側で、容器の基部３３（及び３４）に向かって延びていてよい。それとは逆に、ウィッキング部５は、デリバリーシステム２０の耐用年数にわたって維持水準放射モード中に、前記少なくとも一方の流体貯蔵器６（及び７）内のたとえ少量の揮発性材料８とでも流体接続を維持する、いかなる好適な長さとすることもできる。容器１（及び２）の内側又は外側では、特別なウィッキング部５の長さ要件はない。前記少なくとも１つのウィッキング部５を、流体貯蔵器６（及び７）内で所望の内部深さに配置することができる。前記少なくとも１つのウィッキング部５は、任意に、揮発性材料８の放射供給を最大にするために、流体貯蔵器６及び７の両方の内部の長さ全体を占有することができる。
【００４１】
ウィッキング部５は、前記少なくとも１つのウィッキング開口部１８（及び１９）の位置で、ウィッキング取り付け部品３（及び４）を介して容器１（及び２）と密封可能に固定される。ウィッキング取り付け部品３（及び４）は、ウィッキング開口部１８（及び１９）を通るウィッキング部５及び他の好適な構成要素の少なくとも一部を密封可能に保持することができる。ウィッキング取り付け部品３（及び４）は、貯蔵中、反転、ポンプの作用の後、又はばねの作用によって、あるいは倒れた場合に、ウィッキング部５の取り込み又は投与中に、デリバリーシステム２０からの揮発性材料８の望ましくない漏れを防ぐように、前記少なくとも１つのウィッキング開口部１８（及び１９）及び前記少なくとも１つのウィッキング部５のそれぞれの周りにぴったりと嵌め込まれることができる。ウィッキング取り付け部品３（及び４）は、とりわけ、使用していないときに、揮発性材料８の望ましくない揮発を最小限にするように、いかなる手段（例えば、摩擦、接着剤など）によって容器１（及び２）に取り付けられることもできる。ウィッキング取り付け部品３（及び４）は、任意に、ウィッキング部５の取り込みを助けるように、いかなる好適な場所に通気孔（図示せず）を開けることもできる。
【００４２】
維持水準放射モードの間、デリバリーシステム２０を直立位置などの適切な配置で安定化及び／又は保持するのに役立つ、少なくとも１つの容器基部３３（及び３４）があってよい。デリバリーシステム２０は、揮発性材料を容器１（及び２）の中に収容するための追加的な再密閉可能な封止（図示せず）を更に含んでいてよい。デリバリーシステム２０は、製造者又は消費者が望む場合、例えば、販売前又は香りを与えようとする部屋から長期間離れる間のように揮発性材料８が放射するのが望ましくない場合には、上述の１つ以上の揮発性材料８を含む前記少なくとも１つのウィッキング部５及び／又はデリバリーシステム２０を覆うための包装用封止（図示せず）を更に有していてもよい。
【００４３】
図２ａは、少なくとも１つのバイパスチューブ９（及び１０）及び／又は前記少なくとも１つのウィッキング部５を介して互いに向かい合わせて接続されかつ流体接続されている２つの容器１及び２を有する、揮発性材料のデリバリーシステム２０の別の非限定的な実施形態の断面図を表す。上述のように、容器１と２は、少なくともいくらかの揮発性材料８を収容するための流体貯蔵器６及び７を有し、前記少なくとも１つのウィッキング部５及び／又はバイパスチューブ９（及び１０）を介して流体接続されている。バイパスチューブ９（及び１０）は、任意の大きさ、形、又は構造を有するバイパスチューブ開口部１５及び１７（１４及び１６）を介して容器１（及び２）に接続することができる。バイパスチューブ９（及び１０）は、容器１（及び２）の一体型の構成要素として形成されていてよく、又は容器１（及び２）に追加される別個の構成要素として提供されてもよい。バイパスチューブ９（及び１０）は、液漏れしない任意の構造で容器１（及び２）及び／又は流体貯蔵器６（及び７）を適切に封止できるか又はそれらと適切に接続できるように、容器１（及び２）と適合するいかなる好適な材料で作られていてもよい。バイパスチューブ開口部１５及び１７（１４及び１６）は、バイパスチューブ９（及び１０）を介して流体貯蔵器６と７との間で揮発性材料８の直接的な流体連通を可能にする。バイパスチューブ９（及び１０）、並びにバイパスチューブ開口部１４及び１６（１５及び１７）は、任意の好適な種類の所望の流れを可能にするように構成されることができる。バイパスチューブ９（及び１０）並びに／又はバイパスチューブ開口部１４、１５、１６、及び／若しくは１７は、これら構造体を通る任意の流体の開放性の流れ、一方向の流れ、制限された流れ、又はこれらの組み合わせを提供するように、それぞれ構造的に改善することができる。例えば、バイパスチューブ開口部１４及び１７は無制限の流れを有して作られることができるが、バイパスチューブ開口部１５及び１６は、流体を一方向のみから収集するか又は滴下などの審美的効果を与えるために低減された流れを有するように作られていてよい。この独特な流れ構造は、揮発性材料８の改善された流れがデリバリーシステムに注目を集めることができることから、消費者に特異な視覚的興味を提供する能力をデリバリーシステム２０に与える。各容器１（及び２）は、少なくともいくらかの揮発性材料８がデリバリーシステム２０内で任意の特定の場所においていつでも存在できるように、１つ以上の流体貯蔵器６（及び７）の一部を担うことが可能である。このような容器１（及び２）は、例えば、反転、ポンプの作用、又はばねの作用によってウィッキング部５の取り込み又は投与を行った直後に、少なくともいくらかの揮発性材料８を流体貯蔵器６と流体貯蔵器７の両方に保持することができる。揮発性材料８自体はまた、いかなる好適な補助剤成分をいかなる好適な量で又はいかなる好適な形態で含んでいてもよい。例えば、染料、顔料、及びスペックルは、とりわけ、改善された流れの構造中に消費者が観察する場合に、追加的な審美的効果を与えることができる。
【００４４】
バイパスチューブ９（及び１０）はまた、特定量の揮発性材料８を収集するための追加的な流体貯蔵器としても、及び／又は混合、ポンプの作用又は反転後に特定の容量の揮発性材料８の一部を向かい合った流体貯蔵器６と７との間で方向転換させる手段としても機能することができる。例えば、デリバリーシステム２０が垂直な直立位置から水平位へその基部３４を離れて倒れた場合、デリバリーシステム２０は、少なくとも１つのバイパスチューブ９又は１０が流体貯蔵器６及び７それぞれから少なくともいくらかの揮発性材料８を収集することができるように位置するような配置で停止するように、設計することができる。この場合、バイパスチューブ９又は１０は、追加的な流体貯蔵器の役目をして、揮発性材料８がデリバリーシステム２０から不必要にこぼれる及び／又は漏れる可能性を低減する。
【００４５】
ウィッキング開口部１８（及び１９）は、容器１（及び２）の外面上のどこに位置してもよい。例えば、ウィッキング開口部１８（及び１９）は、容器基部３３（及び３４）の面と平行な面上にあるように、容器１（及び２）の外面上に配置することができる。単位用量室１１（及び１２）は、容器１（及び２）内のどこに位置していてもよく、一般には、流体貯蔵器６（及び７）内にある。単位容量室１１（及び１２）は、前記少なくとも１つのウィッキング開口部１８（及び１９）の最上方の領域とバイパスチューブ開口部１４及び１５（１６及び１７）の最下方の領域との間の、流体貯蔵器６（及び７）内に作られた内側容積によって画定される。単位用量室１１（及び１２）の実際の容積は、前記少なくとも１つの流体貯蔵器６及び７の大きさ、前記少なくとも１つのウィッキング部５が占める容積、並びにデリバリーシステム２０を反転させたときに前記少なくとも１つの単位用量室１１及び１２へ供給される揮発性材料８の量に応じて変えることができる。特定の非限定的な実施形態において、消費者は、単位分の容量の取り込み及び／又は投与を調節することによって、単位用量室１１（及び１２）を介してウィッキング部５へ供給される揮発性材料の容量を制御することができる。このことは、例えば、ポンプ送りされる揮発性材料８の量を調節することによって、又は容器１（及び２）の反転を操作することによって、又は他のいかなる好適な手段によっても達成できる。
【００４６】
デリバリーシステム２０は、反転させたときに、前記少なくとも１つの単位用量室１１では収集されないか、又は前記少なくとも１つのウィッキング部５で吸収されない及び／若しくは前記ウィッキング部５に取り込まれない過剰の揮発性材料８を、容器２で収集及び貯蔵するために、容器１の上部の流体貯蔵器６からバイパスチューブ開口部１４及び１５を介してバイパスチューブ９及び１０を通り、バイパスチューブ開口部１６及び１７を介して下部の流体貯蔵器７へ送ることができる。例えば、単位用量室１０（及び１１）は、デリバリーシステム２０及び／又は容器１（及び２）を反転させると、揮発性材料８の少なくともいくらかを収容することができる。デリバリーシステム２０及び／又は容器１（及び２）がその直立位置から反転する及び／又は倒れるときに、バイパスチューブ９（及び１０）は、前記１つ以上の流体貯蔵器６（及び７）から、前記少なくとも１つの単位用量室１１（及び１２）から、及び／又はウィッキング部５から放出されるいくらかの揮発性材料８で満たされる。
【００４７】
上部の流体貯蔵器６内の単位用量室１１に少なくともいくらかの揮発性材料８を少なくとも部分的に満たす、取り込む及び／又は投与する場合、単位用量室１１は、制御された容量（例えば、単位用量）の揮発性材料８をウィッキング部５へ供給して、大気中へ増強水準放射を提供する。蒸発も放射もされない、その過剰の揮発性材料８は、ウィッキング部５によって運ばれ、ほとんど漏れずに下部の流体貯蔵器７に収集される。デリバリーシステム２０はまた、複数の制御された容量及び／又は単位用量を供給して、香りを与えること、悪臭制御、防虫、場の雰囲気の設定、及びこれらの組み合わせ、の１つ以上の目的のために複数の増強水準放射を開始させることも可能である。投与プロセスによって、消費者は、例えば悪臭制御などが必要なときにいつでも、一時的な増強水準放射を空間に供給することができる。
【００４８】
ウィッキング部５の投与は、例えば、反転、ブラダの圧迫、非エアゾールのポンプ作用、ばね作用、振り、旋回、かき混ぜ、打ち当て、移動、動揺、回転、揺動、攪拌、揺らし、振動、又は、熱、気体、若しくは電流の使用を除くその他の任意の好適な手段など、いかなる好適な手段によっても行うことができる。例えば、消費者がデリバリーシステム２０を単に上下逆さまにして、容器基部３３（及び３４）を下にしてデリバリーシステム２０を設置すると、反転によって投与が生じ得る。したがって、反転すると、下部の流体貯蔵器（６又は７）内に元々貯蔵されていた揮発性材料８は一時的に、上部の流体貯蔵器（６又は７）の中に配置される。揮発性材料８は即座に上部の流体貯蔵器（６又は７）から排出され始め、重力によって単位用量室（１１又は１２）、ウィッキング部５及び／又はバイパスチューブ９（及び１０）を通って下部の流体貯蔵器（６又は７）へ移動する。揮発性材料８が単位用量室（dose chamber）１１（及び１２）に収集されると、揮発性材料８は、大気に露出しているウィッキング部５の部分に沿って重力によって前記少なくとも１つのウィッキング部５へ供給され、増強水準放射が開始する。制御された容量の揮発性材料８が単位用量室１１（及び１２）を介して前記１つのウィッキング部５へ供給される場合、増強水準放射は、揮発性材料８の揮発度の点から見ると、デリバリーシステム２０の耐用期間の一部分にわたって実質的に均一であり得る。
【００４９】
１つの非限定的な実施形態では、単位用量室１１（及び１２）からウィッキング開口部１８（及び１９）及びウィッキング部５を通って移動する、上部の流体貯蔵器（６又は７）内の揮発性材料８の単位用量の少なくともいくらかが、大気中に放射される。単位用量のうち、放射されない部分は、ウィッキング部５及び／又はウィッキング開口部１９（及び１８）を介して下部の流体貯蔵器（６又は７）に戻すことができる。上部の流体貯蔵器（６又は７）内の単位用量室１１（及び１２）が重力によって排出されると、増強水準放射は、単位用量が放射されるか又は下部の貯蔵器（６又は７）に通り抜けるまで、ゆっくりと減衰し始める。増強水準放射が停止すると、維持水準放射が自動的に復帰する。維持水準放射モードにおいて、ウィッキング部５は、下部の流体貯蔵器（６又は７）に貯蔵された揮発性材料８を毛管現象によって、大気に露出されているウィッキング部の少なくともある部分まで汲み上げる。例えば、揮発性材料８は、ウィッキング開口部１８と１９との間の、露出された長手方向のウィッキング部５表面の全体（又はそのいずれかの部分）から放射され得る。
【００５０】
図３ａは、バイパスチューブ９及び１０並びに／又はウィッキング部５を介して互いに向かい合わせて接続されかつ流体接続されている２つの容器１及び２を有する、揮発性材料のデリバリーシステム２０の別の非限定的な実施形態の断面図を表す。この実施形態では、バイパスチューブ９及び１０は、デリバリーシステム２０を配置しやすくするための便利な凹状の手懸り部を創り出すような形で、またデリバリーシステム２０がその直立位置から反転し及び／又は倒れ、その容器基部３３（及び３４）を下にして置かれない場合、ウィッキング部５に損傷からの保護を与えるような形で構成される。
【００５１】
１つの非限定的な実施形態において、増強水準放射のための単位用量室の容量は、下部の流体貯蔵器（６又は７）へ戻るように導くためのバイパスチューブ９（及び１０）では収集されない、上部の流体貯蔵器（６又は７）内の揮発性材料８の容量で決めることができる。単位用量室壁２３、２４、２５及び２６は、貯蔵器６（及び７）及び／又は容器１（及び２）内のどこにでも設定及び位置することができる。例えば、単位用量室１２は、バイパスチューブ開放端部１６及び１７の下方に構成された室壁２５及び２６を有していてよい。そのとき、単位分の容量は、単位用量室壁２５及び２６の開口端２２で収集される。それとは異なり、他の構造の室壁も有用である。例えば、単位用量室１１により収集される単位分の容量が、バイパスチューブ９（及び１０）並びに／又はバイパスチューブ開口部１４及び１５の構造とは無関係であることもある。単位用量室１１は、バイパスチューブ開口部１４及び１５の位置より上方に延びる壁２３及び２４を有する流体貯蔵器６内に位置していてよい。ここでは、上部の貯蔵器６内の揮発性材料８の単位分の容量は、デリバリーシステム２０の反転、ポンプの作用時、又はばねの作用によって、単位用量室壁２３及び２４の開放端部２１を介して単位用量室１１で収集されることができる。
【００５２】
更に、２つの容器１及び２を共に繋ぐ若しくは噛み合わせるための、又はデリバリーシステム２０内で流体の流れを方向付けるための、いかなる好適な大きさ、形、構造、又は材料のいかなる追加的な構成要素も使用できる。例えば、揮発性材料８の流れを助け、及び／又は任意の所望の位置に（例えば、ウィッキング部５から離れて又はウィッキング部５へ向かって）方向付けるために、いかなる好適な内側構成要素も、デリバリーシステム２０の流体の通路内に提供されることができる。デリバリーシステム２０及び／又は容器１（及び２）のいかなる好適な外側構成要素も、デリバリーシステム２０の性能を助けるように提供されることができる。
【００５３】
図３ｂは、溝アセンブリを有する揮発性材料のデリバリーシステム２０の別の非限定的な実施形態の断面図を表す。溝１３８は、容器２の外面上のウィッキング開口部１８（及び１９）付近に位置し、ウィッキング部５の取り込み後及び／又はデリバリーシステム２０を倒した後でウィッキング部５及び／又はウィッキング開口部１８（及び１９）から漏れる可能性のある過剰の揮発性材料８を収集するために提供される。いかなる大きさ、形、構造、又は材料のいかなる溝１３８も使用することができる。１つの非限定的な実施形態において、前記溝は、ウィッキング開口部１９が位置する領域又はその位置と隣接する領域に位置する。（反転、ポンプの作用及び／又は傾けることによって過剰に取り込んだ後のように）向かい合ったウィッキング開口部１９から及び／又はウィッキング部５から滴る可能性のある過剰の揮発性材料８を捕集又は収集する目的で、吸収性材料１３９が提供される。いかなる好適な吸収性材料１３９も、いかなる好適な大きさ、形、又は構造でも使用することができる。吸収性材料１３９は、揮発性材料８の蒸発を実質的に吸収及び／又は促進できるいかなる好適な材料から作られていてもよい。吸収性材料１３９は、いかなる好適な蒸発性表面物質を含むこともできる。例えば、好適な吸収性材料１３９としては、紙、プラスチック、スポンジなどを挙げることができる。溝１３８で収集される過剰の揮発性材料８は、その後、吸収性材料１３９で吸収又は再吸収され、ウィッキング部５又はウィッキング開口部１９の方へ方向転換されるか、あるいは大気中へ直接蒸発させることができる。
【００５４】
特定の他の非限定的な実施形態において、吸収性材料１３９は、下部の流体貯蔵器７により収集されない過剰の揮発性材料８を収集するのを助けるように、溝１３８の位置又はその周辺に配置されることができる。例えば、吸収性材料１３９は、ウィッキング部５の材料で、溝１３８の中に位置し前記少なくとも１つのウィッキング部５を取り囲む薄いワッシャ又はドーナツの形に作られていてもよい。吸収性材料１３９は、ウィッキング部５又はウィッキング開口部１９のどちらかと物理的に接触している必要はないことに留意すべきである。吸収性材料１３９は、いずれかの好適な手段によって（摩擦、接着、留め具、などによって）デリバリーシステム２０の外面のどの部分に取り付けられていてもよい。事実、吸収性材料１３９は、消費者が所望に応じて追加又は除去することができるので、固定して取り付ける必要はない。吸収性材料１３９は、例えば、デリバリーシステム２０の反転中、過剰なポンプの作用の間、又は倒している間に、前記少なくとも１つのウィッキング部５の長手方向軸に沿って自由に滑り落ちて、向かい合った溝（図示せず）の領域で停止することができ、そこで、その向かい合ったウィッキング開口部（図示せず）付近に存在する可能性のあるいかなる過剰の揮発性材料８をも収集することができる。
【００５５】
図４は、単一のバイパスチューブ９及び／又は前記少なくとも１つのウィッキング部５を介して互いに向かい合わせて接続されかつ流体接続されている２つの容器１及び２を有する、揮発性材料のデリバリーシステム２０の別の非限定的な実施形態を表す。バイパスチューブ９は、いかなる好適な大きさ、形、又は構造をとってもよく、またいかなる好適な材料から作られることもできる。バイパスチューブ９は、いかなる好適な手段によっていかなる好適な位置で容器１（及び２）に接続されていてもよい。例えば、容器１（及び２）と類似の材料のバイパスチューブ９は、らせん、球体、又は楕円の形に形成することができ、また貯蔵器６（及び７）と接続される。バイパスチューブ９は、デリバリーシステム２０のいかなる構成要素の一部であってもよい。例えば、バイパスチューブ９は、容器１（及び２）の中及び／又はウィッキング部５の中に一体化されていてよい。バイパスチューブ９は、漏れ又は蒸発による損失なしに容器１（及び２）と流体連通を可能にする１つ以上のバイパスチューブ開口部１５（及び１７）を有していてよい。例えば、揮発性材料８は、反転後、重力によって上部の貯蔵器６からバイパスチューブ９及び／又は前記少なくとも１つのウィッキング部５を介して下部の貯蔵器７に向かって流れることができる。バイパスチューブ開口部１５（及び１７）は、容器１（及び２）の表面上のどこに位置していてもよく、また任意に均一で一時的な増強水準放射を供給するために、ウィッキング開口部１８（及び１９）とバイパスチューブ開口部１５（及び１７）との間の流体貯蔵器６（及び７）の内部空間に位置する単位用量室１１（及び１２）を形成できるような様式で位置していてもよい。バイパスチューブ９は、デリバリーシステム２０をその直立位置から反転させる及び／又は倒すときに、物理的な干渉又は損傷からウィッキング部５を保護するようにウィッキング部５を取り囲むことができる。この構造は、ウィッキング部５との思わしくない接触によって、子供が揮発性材料８に不必要に曝されるか又は直接曝されるのを保護するのに役立つ。
【００５６】
図５ａ、５ｂ、５ｃは、揮発性材料のデリバリーシステム２０の別の非限定的な実施形態を表す。図５ａは、一体成形型容器１に１つ以上の通気開口部３５を有する、単一の一体成形型容器１の外面を表す。１つ以上の通気開口部３５は、揮発性材料（図示せず）をウィッキング部（図示せず）から、処理を要する部屋（単数及び複数）の大気中へ放射又は供給させる。任意に、１つ以上の通気開口部３５の幅を調節可能に及び／又は閉鎖可能にできるように、調節可能な通気孔（図示せず）をデリバリーシステム２０の容器１に追加することができる。これによって、消費者は維持及び増強水準放射速度を制御することができる。調節可能な通気孔（図示せず）は、いかなる好適な材料から、いかなる好適な大きさ又は形で作られていてもよく、またデリバリーシステム２０上又はデリバリーシステム２０内のどこに位置していてもよい。例えば、消費者は、所望の量の放射が処理を要する場所に供給されるように、調節可能な通気孔（図示せず）を動かすことによって前記１つ以上の通気開口部３５を開ける、部分的に開ける、部分的に閉じる、又は閉じることができる。
【００５７】
図５ｂは、ウィッキング部５、ウィッキング取り付け部品３（及び４）、ウィッキング取り付け部品開口部４３（及び４４）、任意のウィッキング取り付け部品通気孔２７（及び２８）、及びウィッキング取り付け部品フランジ３１（及び３２）を有する、蒸発表面装置４０の非限定的な実施形態を表す。蒸発表面装置４０の全ての構成要素は、いかなる好適な材料から、いかなる好適な大きさ、形、又は構造で作られていてもよい。前記少なくとも１つのウィッキング部５の各端部は、複数の流体貯蔵器（図示せず）の間でウィッキング部５を介して流体連通させることができるが、使用又は貯蔵中にウィッキング取り付け部品開口部４３（及び４４）、ウィッキング開口部（図示せず）、又は容器（図示せず）の周囲から揮発性材料（図示せず）が不必要に漏れるのを低減できるように、ウィッキング取り付け部品３（及び４）のウィッキング取り付け部品開口部４３（及び４４）に封止可能に嵌め込むことができる。
【００５８】
図５ｃは、バイパスチューブ９及び１０並びに／又は前記少なくとも１つのウィッキング部５を介して互いに向かい合わせて接続されかつ流体接続された２つの流体貯蔵器６及び７を有する、単一の一体成形型容器１を有する別の非限定的な実施形態の断面図を表す。この実施形態において、バイパスチューブ９（及び１０）は、デリバリーシステム２０を配置しやすくするための便利な凹状の手懸り部を創り出し、反転させている間及び／又はデリバリーシステム２０をその直立位置から倒した場合に、ウィッキング部５に損傷からの保護を与えるような様式で、単一の一体成形型容器１の内部の中に構成されている。単位用量室１１（及び１２）は、単一の一体成形型容器１の流体貯蔵器６（及び７）内に位置する。単位用量室１１（及び１２）のうち一方は、デリバリーシステム２０を反転させるときに揮発性材料８を収集するために、開放端２１（及び２２）を有するカップの形で壁２３及び２４（２５及び２６）を有することができる。単位用量室１１（及び１２）はいつでも、特に反転直後に、少なくともいくらかの揮発性材料８を収容することができる。揮発性材料８は、重力によって又は非エアゾール式ポンプ（図示せず）によって、バイパスチューブ９（及び１０）及び／又はウィッキング部５を介して、向かい合った流体貯蔵器（６又は７）の方へ流れることができる。少なくとも１つのウィッキング開放部１８（及び１９）は、ウィッキング部５を流体貯蔵器６（及び７）へ貫通させる。単位用量室の壁２３及び２４（２５及び２６）は、直立位置にある場合、又は少なくとも１つのウィッキング部５の取り込み要件に応じて開口部の位置若しくはそれより下方にあるかもしれない場合、前記少なくとも１つの流体貯蔵器６（及び７）の内側のバイパスチューブ開口部１４及び１５（１６及び１７）の上方に延びていてよい。ウィッキング取り付け部品ブラケット３６（及び３７）は、ウィッキング取り付け部品３（及び４）及びウィッキング部５との密封に対応し前記密封を提供するように、一体成形型容器１のいかなる好適な位置に位置していてもよい。ウィッキング取り付け部品３（及び４）は、ウィッキング取り付け部品ブラケット３６（及び３７）の中に配置することでウィッキング部５をしっかりと保持するように構成されることができ、これは、ウィッキング取り付け部品３（及び４）及び／又はウィッキング部５を封止可能に取り囲むように作られて、ウィッキング取り付け部品３（及び４）とウィッキング部５との接合点若しくはウィッキング取り付け部品３（及び４）とウィッキング取り付け部品ブラケット３６（及び３７）との接合点において、又はそれら接合点のどちらか若しくは両方から揮発性材料８が漏れるのを最小限にすることができる。
【００５９】
図６は、前記少なくとも１つのバイパスチューブ９及び／又は前記少なくとも１つのウィッキング部５を介して互いに向かい合わせて接続されかつ流体接続された２つの容器１及び２を有する、揮発性材料のデリバリーシステム２０の別の非限定的な実施形態の断面図を表す。例えば、バイパスチューブ９は、ウィッキング部５自体の内部に組み込まれることができる。バイパスチューブ９は、ウィッキング部５の近くにあるが、ウィッキング部５と物理的に接触していない位置にあることができるか、又は実際にはウィッキング部５と物理的に接触していることができる。１つ以上のバイパスチューブ開口部１５（及び１７）は、デリバリーシステム２０のウィッキング部５、貯蔵器６（及び７）、及び／又は容器１（及び２）内のどこに位置してもよい。例えば、バイパスチューブ９は、ウィッキング部５と同じウィッキング開口部１８（及び１９）に入れることができるが、デリバリーシステム２０を反転させた時及び／又は倒した時並びにそのようになった場合に揮発性材料８を収集するための代替の流体貯蔵器として役立つように、ウィッキング部５より長めに作られ、ウィッキング部５から離して配置することができる。別の例では、バイパスチューブ９とウィッキング部５の両方が同一の開口部の中を通るように、バイパスチューブ開口部１５（及び１７）をウィッキング開口部１８（及び１９）内に一体化することができる。この場合、増強水準放射モード中に過剰の揮発性材料８がデリバリーシステム２０から漏れるのを防ぐために、封止（図示せず）が１つだけ必要となり得る。これによって、生産コストが低減され、また封止の不具合又は漏れのおそれが減る。バイパスチューブ９も、中空のウィッキング部であるウィッキング部５自体の中に単に空洞を作ることにより、ウィッキング部５の材料で作られることができる。同一の貯蔵器６（及び７）の中及び／又は同一のウィッキング部５の中に、１つを超えるバイパスチューブ９及び／又はウィッキング開口部１５（及び１７）があってもよい。
【００６０】
図７ａは、維持水準放射モードにおけるデリバリーシステム２０の別の非限定的な実施形態の断面図を表す。デリバリーシステム２０は、２つの貯蔵器７８及び７９、２つのバイパスチューブ９及び１０、１つのウィッキング部５、２以上の別個の区別できる相６１及び８３から成る少なくとも１つの多相揮発性材料を有する。いかなる好適な量、密度及び／又は粘度のいかなる好適な多相揮発性材料も使用することができる。維持水準放射モードの間、多相揮発性材料は、下部の流体貯蔵器７９に貯蔵されている。別個の区別できる相６１及び８３は、いずれか好適な順序又は配列で、流体貯蔵器７９から前記少なくとも１つのウィッキング部５への毛管現象によって大気中に供給することができる。例えば、ウィッキング部５は、貯蔵器７９（及び８０）から両方の相を等量で汲み上げて大気中に供給することができ、また、相６１を相８３よりも速く、優先的に供給することができ、逆もまた同様に可能である。ウィッキング部５に、所望の相のうち一方からの流体を、静止又は平衡状態におけるもう一方の相の速度よりも速い速度で優先的に汲み上げさせて供給させる他のいかなる方法が使用されてもよい。例えば、前記少なくとも１つのウィッキング部５の長さは、それが、維持水準放射中に相６１を優先的に汲み上げるが、同時に相８３での汲み上げが生じないように、流体貯蔵器８０内に設定又は高さ配置されてよい。ウィッキング部での差別的な吸上げを提供する他の手段としては、異なるウィッキング材料の種類及び／又は設計を提供すること、並びに多相揮発性組成物中の異なる相の化学的性質を調節してウィッキング部５での吸上げを変更することが挙げられるが、これらに限定されない。
【００６１】
図７ｂは、増強水準放射モードにおけるデリバリーシステム２０を表す。増強水準放射が望ましいとき、消費者はデリバリーシステム２０を反転させる。反転すると、（図７ａの）下部の流体貯蔵器７９は、図７ｂの上部流体貯蔵器７９になる。そのとき、多相揮発性材料の少なくともいくらかが単位用量室８０で収集されるが、過剰の多相揮発性材料は、入口開口部１６及び１７並びにバイパスチューブ９及び１０を通って下部の流体貯蔵器７８へ排出され始める。前記少なくとも１つのバイパスチューブ開口部１６及び１７の位置は、消費者に、単位用量室８０及び／又は前記少なくとも１つのウィッキング部５を所望の流体相で満たさせることができる。
【００６２】
増強水準放射中に消費者が知覚する多相揮発性材料の特徴並びに強度は、単位用量室８０に収集された前記多相組成物の別個の相６１及び８３を混合及び／又は置換した途端に変化し得る。多相揮発性材料７８の好適ないかなる物理的性質又は特性を用いて、所望の相を分離し、それを前記少なくとも１つのウィッキング部５に優先的に取り込むこともできる。
【００６３】
多相揮発性材料の前記少なくとも２つの別個の区別できる相の密度は、特定の揮発性材料相がウィッキング部５にどのようにして、いつ供給されるかを制御することができる。例えば、密度のより低い相６１は、反転後に混ざるとバイパスチューブ９及び１０に入り、密度のより高い相８３よりも速く流出することができるが、より密度の高い相８３は実際には、適切な構造及び／又は状態が与えられると単位用量室８０の中でより密度の低い相６１のいくらか又は全部と置き換わることができる。より密度の高い相８３の一部が単位用量室８０の中でより密度の低い相６１の一部と置き換わるとき、置き換えられたより密度の低い相６１は、その後、排出されて下部の流体貯蔵器７８に戻ることができる。増強水準放射モード中には、より密度の高い相８３が、ウィッキング部５へ優先的に供給され、密度のより低い相６１よりも大量に大気中に放射される。したがって、同じ多相揮発性材料が、維持水準放射モードでは、増強水準放射モード中とは異なる特徴及び／又は強度を示すことがある。
【００６４】
同様に、多相揮発性材料（図示せず）の前記少なくとも２つの別個の区別できる相の粘度は、特定の揮発性材料相をどのようにして、いつウィッキング部へ供給するかを制御することができる。例えば、維持水準放射中の平衡状態では、ウィッキング部は、２以上の揮発性材料のうち粘度の高い相から汲み上げるように、下部の貯蔵器内の特定の高さ又は特定の位置にあってよい。増強水準放射中に混合すると、下部の流体貯蔵器は上部の流体貯蔵器になる。粘度のより低い相が粘度のより高い揮発性材料よりも速く流出できることから、単位用量室は、まず粘度のより低い相で満たすことができる。粘度のより高い揮発性材料は、粘度のより低い相よりもわずかに低いか又はそれと同じ密度であり、バイパスチューブの方向に向けられ、重力によって下部の流体貯蔵器で収集される。したがって、増強水準放射モード中には、粘度のより低い揮発性材料が、ウィッキング部に優先的に供給され、粘度のより高い相よりも大量に大気中に放射される。
【００６５】
図８ａは、少なくとも１つの第２のウィッキング部３８を有する揮発性材料のデリバリーシステム２０の別の非限定的な実施形態の断面図を表す。前記少なくとも１つの第２のウィッキング部３８は、いつでも、例えば、デリバリーシステム２０の反転時又は増強水準放射を供給するための非エアゾール式ポンプによって、揮発性材料８を取り込むことができる。第２のウィッキング部３８は、増強水準放射モード中に蒸発表面積を大きくすることによって、高められた強度の揮発性材料８を大気中に供給するのを助けることができる。第２のウィッキング部３８は、いかなる好適な大きさ、形、又は構造でいかなる好適な材料からも作られる。例えば、第２のウィッキング部３８は、平坦なワッシャ、中空リング、又はドーナツの形であってよく、前記少なくとも１つの流体貯蔵器６（及び７）内で少なくとも部分的に、例えば、図のように前記少なくとも１つのウィッキング開口部１８及び１９の接合点を超えたところに、延びている。第２のウィッキング部３８はまた、流体貯蔵器６（及び７）内の任意の位置まで、例えば、流体貯蔵器６（及び７）の内部空洞の全長まで延びていてもよく、できれば容器基部３３（及び３４）の内面と接触さえしていてもよい。この例では、第２のウィッキング部３８は、第１のウィッキング部５と物理的に接触していてよい。
【００６６】
図８ｂは、第１のウィッキング部５と物理的に接触していない少なくとも１つの第２のウィッキング部３９を有する、揮発性材料のデリバリーシステム２０の別の非限定的な実施形態の断面図を表す。
【００６７】
図８ｃは、複数個の個別のデリバリーシステムを有する複合デリバリーシステム１００の別の非限定的な実施形態の断面図を表す。例えば、デリバリーシステム１００は、いずれかの構造の複数個の別個の容器１０１、１０２、１０３及び１０４を含み得るが、前記容器の全てが、物理的に接続されている、向かい合わせて接続されている、又は流体接続されているとは限らない。容器１０１と１０２は、容器１０３及び１０４と向かい合わせて接続されていても、及び／又は流体接続されていてもよいが、容器１０３及び１０４とは必ずしも物理的に接続されていなくてよい。それでも、全てを単一のデリバリーシステム１００又はハウジング（図示せず）の中に収納することができる。容器の各ペア１０１と１０２、及び１０３と１０４はそれぞれ、少なくとも１つの貯蔵器又は１対の貯蔵器１１３と１１６、及び１１４と１１５を含んでいてもよい。貯蔵器の各対１１３と１１６、及び１１４と１１５は、少なくとも１つのバイパスチューブ１０７（及び１０８）、及び上述のように向かい合った貯蔵器ペアを流体接続する、対応するバイパスチューブ開口部１０９及び１１１（１１０及び１１２）を有していてよい。この実施形態では、異なる揮発性材料を、それぞれの流体貯蔵器ペアに提供することができる。例えば、揮発性材料１１７を貯蔵器ペア１１３及び１１６に提供すると同時に、揮発性材料１１８を貯蔵器ペア１１４及び１１５に提供することができる。
【００６８】
個別のウィッキング部１０５（及び１０６）の位置、場所、大きさ、形、及び構造は、複合デリバリーシステム１００に収納される個別のデリバリーシステムそれぞれの要件に応じて変えることができる。例えば、ウィッキング部１０５は、ウィッキング部１０５が容器１０２の流体貯蔵器１１３の内部空洞内には部分的にしか延びていないが、ウィッキング部１０５が容器１０１の流体貯蔵器１１６の内部空洞の長さ全体に延びているように、貯蔵器１１６の中に配置することができる。同様に、ウィッキング部１０６は、ウィッキング部１０６が容器１０４の流体貯蔵器１１５の内部空洞内には部分的にしか延びていないが、ウィッキング部１０６が容器１０３の流体貯蔵器１１４の内部空洞の長さ全体に延びているように、貯蔵器１１４の中に配置することができる。
【００６９】
この構造では、異なる芳香剤を、２つの別個の維持水準放射モードの間に、それぞれ個別のデリバリーシステムから放射することができる。第１の維持水準放射モード（Ａ）では、ウィッキング部１０５は揮発性材料１１８に浸かっているが、同時に、ウィッキング部１０６は揮発性材料１１７に浸かっていない。そのため、ウィッキング部１０５のみが動作中で、揮発性材料１１８を毛管現象により放射する。増強水準放射モードが望ましいときは、複合デリバリーシステム１００を反転させる。下部の流体貯蔵器１１５及び１１６が、上部の流体貯蔵器となる。増強水準放射モードでは、ウィッキング部１０５及び１０６に、揮発性材料１１８及び１１７がそれぞれ個別に取り込まれる及び／又は投与される。増強水準放射モードが完了して、揮発性材料１１７（及び１１８）がバイパスチューブ１０７（及び１０８）又はウィッキング部１０５（及び１０６）のいずれかを介してそれぞれの下部の貯蔵器ペア１１４（及び１１３）へ排出されると、第２の維持水準放射モードが自動的に開始する。
【００７０】
第２の維持水準放射モード（Ｂ）では、ウィッキング部１０６は揮発性材料１１７に浸かっているが、同時に、ウィッキング部１０５は揮発性材料１１８に浸かっていない。そのため、ウィッキング１０６のみが動作中で、揮発性材料１１７を毛管現象により放射する。したがって、増強水準放射の特徴は、維持水準放射（Ａ）及び（Ｂ）の両方と異なり、前記維持水準放射（Ａ）及び（Ｂ）もやはり互いに特徴が異なる。
【００７１】
図９ａ、９ｂ、９ｃ、及び９ｄは、維持水準放射モードにおいて、単一の容器１、少なくとも１つの流体貯蔵器６及び少なくとも１つの投与チューブ４５を有する、他の非限定的な実施形態の断面図を表す。増強水準放射モードが望ましいときは、ウィッキング部５に揮発性材料８を取り込む及び／又は投与するために、図９ａのデリバリーシステム２０を反転させることが必要である。ウィッキング部５は、前記少なくとも１つの流体貯蔵器６の内部に少なくとも部分的に位置し、かつ前記少なくとも１つの流体貯蔵器６に貯蔵されている揮発性材料８の少なくともいくらかと流体接続されている。反転すると、投与チューブ入口開口部４９は、流体貯蔵器６内に位置する揮発性材料８を投与チューブ４５の中に収集し、投与チューブ４５が揮発性材料８で少なくとも部分的に満たされるようになる。デリバリーシステム２０を、その容器基部３４を下に戻して直立位置に戻したとき、揮発性材料８の少なくともいくらかの部分は投与チューブ４５で収集される。揮発性材料８の収集された部分は、その後、ウィッキング投与室５４と物理的及び／又は流体接続されている投与チューブ出口開口部５１を介して重力によってウィッキング部５へ流れ、前記ウィッキング投与室５４は、次いで、ウィッキング部５及び／又は前記少なくとも１つの第２のウィッキング３８と物理的に接続される及び／又は流体接続される。ウィッキング投与室５４は、揮発性材料８に、増強水準放射の供給のための反転後に投与チューブ４５に収集された揮発性材料８の少なくともいくらかでウィッキング部５及び第２のウィッキング部３８を湿らせることを可能にする。この実施形態における維持水準放射の供給は、反転などの機械的な行為を必要としないことに留意すべきである。反転後、ウィッキング部５の毛管による取り込みが自動的に復帰する。毛管現象は、デリバリーシステム２０が放射プロセスで揮発性材料８を実質的に使い尽くすまで、自動的に続けることができる。
【００７２】
図９ａの実施形態と同様に、図９ｂ及び９ｃの実施形態もまた、維持水準放射を供給するために機械的な工程を必要としない。しかしながら、前述の実施形態とは異なり、増強水準放射は、圧迫可能なブラダ４７又は非エアゾール式ポンプ４８を介して揮発性材料８をウィッキング部５及び／又は第２のウィッキング部３８（及び３９）に取り込むことによって達成される。図９ｂでは、容器１の流体貯蔵器６から投与チューブ入口開口部４９を介して、少なくともいくらかの揮発性材料８を汲み上げる、圧迫可能なブラダ４７を使用する。揮発性材料８は、投与チューブ４５に収集され、かつブラダ入口開口部５２からブラダ４７に収集され、ブラダを圧迫したときに、ブラダ出口開口部５３から投与チューブ４６へ放出される。ウィッキング部５及び任意の第２のウィッキング材料（図示せず）は、図９ａにおいて前述した方法に従って、取り込む又は投与することができる。
【００７３】
図９ｂの実施形態と同様に、図９ｃの実施形態では、圧迫可能なブラダ４７を非エアゾール式手動ポンプ４８と置き換えること以外は同じデリバリー概念を用いる。非エアゾール式手動ポンプ４８は、ポンプ入口開口部５６及びポンプ出口開口部５５を有し、非エアゾール式手動ポンプが最小限の機械的行動によって使用されているときに、少なくともいくらかの揮発性材料８がウィッキング部５並びに／又は第２のウィッキング部３８及び３９へ供給されるように好適なポンプヘッドを有するいかなる好適な種類、大きさ、形、及び／又は寸法のものであることもできる。ポンプ又は圧搾可能なブラダ装置のいずれにも噴霧器は取り付けられていない。
【００７４】
図９ｄは、２つの別個の容器１及び５０を有するデリバリーシステム２０の別の非限定的な実施形態の断面図を表す。ウィッキング部５は、封止可能なウィッキング開口部１８を介して、流体貯蔵器６内に貯蔵された揮発性材料８と流体接続されている。維持水準放射は、前記少なくとも１つのウィッキング部５を介した揮発性材料８の毛管現象によって大気中へ提供される。ウィッキング部５は、いかなる好適な大きさ又は長さのものであることもでき、また貯蔵器６内で容器基部３４の内面へ向かって延びていてよい。容器５０は、投与チューブ４６を介して容器１と流体接続されている。容器５０は、投与漏斗７１、投与拡散器７２、収集基部７３、第２の流体貯蔵器５７及び第２のウィッキング部３８を備えていてよい。増強水準放射が望ましいとき、容器１の揮発性材料８は、任意の好適な手段によって容器５０の第２のウィッキング部３８へ供給され得る。揮発性材料８は、投与チューブ入口開口部４９から投与チューブ４６へ供給される。揮発性材料８は、投与チューブ出口開口部５１から容器５０に入るが、ここで、揮発性材料８は投与漏斗７１によって収集され、前記投与漏斗７１が揮発性材料８を投与拡散器７２に方向付け、前記投与拡散器７２が揮発性材料８を第２のウィッキング３８に供給する。第２のウィッキング部３８は、投与拡散器７２及び投与漏斗７１と流体接続されている。第２のウィッキング部３８はまた、任意の好適な接続を介して投与拡散器７２及び容器基部７３に固定して接続されていてもよい。
【００７５】
第２のウィッキング部３８は、好適ないかなる大きさ又は形であってもよい。例えば、第２のウィッキング部は、中空カップ、球体又はリングの形であってよく、そこでは、揮発性材料８は、重力によって投与拡散器７２から第２のウィッキング部３８を通って容器基部７３へ向かって流れる。第２のウィッキング部３８は、いかなる好適な表面積を含んでもよい。例えば、好適な表面積は、前記少なくとも１つのウィッキング部５よりも約１〜約１００倍、又は約１〜約５０倍、又は約１〜約２０倍、又は約１〜約５倍大きな表面積の範囲に及ぶことがある。ウィッキング部の表面積の拡大は、ウィッキング材料の孔径を変えることによって、又はウィッキング材料をプリーツ状にするか若しくはこれを折り畳むことによって、などの任意の好適な手段によって提供され得る。
【００７６】
図９ａの実施形態と同様に、図９ｄの実施形態は、揮発性材料８が増強水準放射のために第２のウィッキング部３８へ供給されるように容器１を反転させることによって（又は任意の他の好適な手段によって）増強水準放射を開始することができる。投与拡散器７２を介して供給された後で第２のウィッキング部３８に収集されない過剰の揮発性材料８は、第２のウィッキング部３８と流体接続された第２の流体貯蔵器５７に収集することができる。第２のウィッキング部３８は、任意の第２の流体貯蔵器５７を有する多孔質固体であってもよい。多孔質固体は、第２のウィッキング部３８自体から即座には放射されない過剰の揮発性材料８を吸収することができる。増強水準放射は、揮発性材料８が全て蒸発するまで続く。例えば、第２のウィッキング部３８に取り込まれるか又は第２の流体貯蔵器５７に貯蔵されている揮発性材料８は全て、増強水準放射の間に蒸発によって大気中に供給される。
【００７７】
図１０ａ及び１０ｂは、大気に曝されている表面積の量に応じて多少の揮発性材料８を大気に供給することができる、調節可能な大きな表面積のウィッキング部５８を有する、デリバリーシステム１２０の別の非限定的な実施形態の断面図を表す。図１０ａは、ウィッキング部５８の表面積の最小量が大気に露出されている平衡状態でのデリバリーシステム１２０を表す。平衡状態では、ばね７５は圧縮されていない。平衡状態での折り畳まれた位置において、ウィッキング部５８は、維持水準放射を提供する。
【００７８】
特定の実施形態では、デリバリーシステム１２０は、調節可能な大きな表面積のウィッキング部５８、ウィッキング部拘束（retraining）リング６０、ばね７５、任意の制動装置（図示せず）、ばね拘束装置（図示せず）、任意に、穿孔を有する保護シェル１２１、及びウィッキング部拘束リング６０を介してばね７５を圧縮するための少なくとも１つのレバー１２２を備えたウィッキングばねアセンブリを含む。穿孔を有する保護シェル１２１は、いかなる好適な大きさ、形又は構造でもあり得る穿孔（図示せず）を介して揮発性材料の規制されていない放射流を可能にするように、いかなる大きさ、形、又は構造でいかなる好適な材料から作られることもできる。例えば、穿孔（図示せず）は、複数個のスロットであってよい。穿孔を有する保護シェル１２１には、ウィッキング部拘束リング６０に取り付けられたレバー１２２が、ばね７５の圧縮に必要な長さ全体を移動させる垂直スロット１２３を設けることができる。ウィッキングばねアセンブリは、増強水準放射の強度を変えるために、消費者にウィッキング部５８の露出した表面積を設定又は調節させる。レバー１２２を用いてばね７５を圧縮する間、消費者は、デリバリーシステム１２０を反転させなくても、増強水準放射を供給することができる。
【００７９】
図１０ｂは、最大増強水準モードのデリバリーシステム１２０を表す。ここでは、ウィッキング部５８の表面積の最大量が大気に露出されている。ばね７５は、完全に圧縮されている。拘束されていないときは、その最大表面積を大気に露出するために開く又は広がるように、ウィッキング部５８はいかなる好適な形又は大きさのいかなる好適な材料で作られていてもよい。ばね７５が徐々にその平衡状態の長さへ戻るにつれて、ウィッキング部の表面積はウィッキング部拘束リング６０によって減少する。任意のばね制動装置（図示せず）は、様々な増強水準放射の持続時間を提供できるようにする。ウィッキングばねがその平衡状態へ戻るとき、増強水準放射モードが停止して、維持水準放射モードが自動的に復帰する。したがって、増強水準放射の持続時間及び強度は、単にレバー１２２を所望の位置まで押し下げることによって、消費者が制御することができる。
【００８０】
図１１は、安定クレードル６２を有する、デリバリーシステム２０の別の非限定的な実施形態の断面図を表す。安定クレードル６２は、デリバリーシステム２０が、安定クレードル６２に置かれた時点で、好適な分配位置（例えば、直立位置）で少なくとも部分的に安定化されるように、いかなる好適な大きさ、形、又は構造を有するいかなる好適な材料から作られていてもよい。この場合、直立位置は、任意の方向で垂直線から４５度より大きいいかなる傾斜にも言及する。例えば、安定クレードル６２は、木材、金属、プラスチック及び／又はガラスから作られていてもよく、また任意に、前記少なくとも１つの容器基部３４と接触したときにデリバリーシステム２０に少なくともいくらかの安定性を追加する、陥凹部６３を有していてよい。安定クレードル６２は、処置を必要とする任意の部屋又は場所（例えば、居間、台所、浴室、ガレージ、裏庭など）でのデリバリーシステム２０の設置を特定することの利便性を消費者にもたらす。安定クレードル６２は、消費者にデリバリーシステム２０を独自のものにさせるために、装飾的な品目を構造体上に配置させることができる。例えば、カラーコーディネートに利用できる多くの異なる装飾的な色を有する、着色された化粧板を選択することができる。装飾的な品目は、留め具、接着剤、鍵と鍵穴の装置、などの任意の固定手段によって、安定クレードル６２及び／又はデリバリーシステム２０のどこに取り付けられてもよい。
【００８１】
図１２は、デリバリーシステム２０が接触、振り、非水平に倒すこと、ないしは別の方法によって転倒した時点で、転倒に対して少なくともいくらかの安定性を与えるように、いかなる大きさ、形、又は構造でいかなる好適な材料から作られることもできる少なくとも１つのバラスト６３を有する、デリバリーシステム２０の別の非限定的な実施形態の断面図を表す。好適なバラスト材料の好適な形態としては、固体、液体、ゲル、粉末、顆粒、及びこれらの組み合わせが挙げられるが、これらに限定されない。例えば、バラスト６３は、デリバリーシステム２０の転倒を減らすために、いかなる好適な重量を有するいかなる好適な材料を含むこともできる。バラスト６３は、任意の好適な様式（例えば、固定式、非固定式、など）でデリバリーシステム２０及び／又は容器１（及び２）に取り付けることができる。バラスト６３は、デリバリーシステム２０上で調節できるように取り外し可能に取り付けることができる。そのため、バラスト６３は、いかなる好適な構造でいかなる好適な手段によって、容器１（及び２）に配置及び／又は再配置することもできる。例えば、消費者は、反転させた後で、バラスト６３を下部の容器２に取り付けることができる。あるいは、製造者は、デリバリーシステム２０を反転させたときに重力の作用によって上部の容器１から下部の容器２へ自動的に再配置され得るように、バラスト６３を取り付けてもよい。
【００８２】
バラスト６３は、任意の好適な機構、例えば、スライディング機構によって、前記少なくとも１つの容器に接続されることができる。バラスト６４は、重力によって、例えば、リングなどの取り付け装置６５を介してバイパスチューブ９（及び１０）に沿ってスライドさせることによって、デリバリーシステム２０の長手方向軸に沿って自由に移動することができる。あるいは、バラスト６４は、スライドさせずに、例えば、バラスト６４をデリバリーシステム２０の任意の部分、例えば下部の容器基部３４又はバイパスチューブ９（及び１０）などにクリップで留めることによって、反転プロセスの前、その間、又はその後で、物理的に移転させることができる。好適な取り付け装置６５は、いかなる好適な大きさ、形、又は構造でいかなる好適な材料から作られることもできる。例えば、取り付け装置６５は、クランプ、クリップ、リング、糸、ひも、接着剤、摩擦器具、磁石、及びこれらの組み合わせであってよい。前記少なくとも１つのバラスト６３はまた、前記少なくとも１つの容器１（及び２）に定位置で取り付け及び／又は接続することもできる。1つの非限定的な実施形態において、バラスト（図示せず）は、デリバリーシステム２０の一構成要素内に収納された砂又はボールベアリングの形態であってよい。
【００８３】
図１３ａは、４つのバイパスチューブ６５、６６、６７、及び６８、並びに少なくとも１つのウィッキング部５を有する、デリバリーシステム２０の別の非限定的な実施形態の斜視図を表す。上下を逆さまにすると、バイパスチューブ６５、６６、６７、及び６８は、いずれかの流体貯蔵器（図示せず）に貯蔵されていた揮発性材料（図示せず）のいくらかを収集するための第２の流体貯蔵器として作用し、それによって、デリバリーシステム２０からの漏れを最小限に抑えることができる。図１３ｂは、図１３ａのデリバリーシステム２０の平面図を表す。この構造は、直立位置から倒した後でデリバリーシステム２０を安定化するのを助ける。図１３ｃは、バイパスチューブ６６及び６８を通る断面図（Ａ−Ａ）を示す。
【００８４】
図１４は、少なくとも１つのバラスト７０を有する外側フレーム６９を有する、デリバリーシステム２０の別の非限定的な実施形態の斜視図を表す。外側フレーム６９は、いかなる好適な材料から作られていてもよく、またいかなる好適な大きさ又は形で構成されていてもよい。外側フレーム６９は、任意の好適な手段によってデリバリーシステム２０に取り外し可能に取り付けることができる。バラスト７０も、外側フレーム６９に取り外し可能に取り付けることができる。デリバリーシステム２０は、外側フレーム６９から容易に取り外し、消費者によって反転させてから、再び取り付けることができる。あるいは、デリバリーシステム２０は、所定の位置で反転させることができる。例えば、外側フレーム６９は、容器１（及び２）を押すことで消費者にデリバリーシステム２０を簡単に反転させることができるピボットアーム（図示せず）を設けることによって、デリバリーシステム２０を反転させる手段を提供することができる。バラスト７０は、必要に応じて、例えば洗浄のために、デリバリーシステム２０の後で取り外して、外側フレーム６９に再び取り付けることができる。
【００８５】
図１５ａは、別のウィッキングばねアセンブリ機構を含む、デリバリーシステム２０の断面図を表す。ウィッキングばねアセンブリは、少なくとも１つの伸縮自在ウィッキング部８６、少なくとも１つのばね８７、少なくとも１つのばね調節器８８、任意的な制動装置（図示せず）、及びばね拘束装置（図示せず）を備えている。図１０ａの実施形態と同様に、維持水準放射モードは、伸縮自在ウィッキング部８６の表面積の最小量が大気に露出されている平衡状態で生じる。平衡状態において、伸縮自在ウィッキング部８６は、容器１の流体貯蔵器６に収容される揮発性材料８に浸かっている。この場合、ウィッキングばねアセンブリ７５は平衡状態では圧縮されている。
【００８６】
増強水準放射が望ましいとき、伸縮自在ウィッキング部８６のより大きな表面積が大気に露出される。例えば、消費者は、ばね調節器８８を所望の長さまで引き上げ、それによって平衡状態で露出していたよりも大きな伸縮自在ウィッキング部８６の表面積を大気に露出させることによって、前記ウィッキング部の表面積を大きくすることができる。伸縮自在ウィッキング部８６が完全に伸ばされたとき、ウィッキングばね７５は圧縮されていない。揮発性材料８の放射速度は、ウィッキング部の露出される表面積の量に応じて増加する。露出される表面積が大きいほど、増強水準放射速度は増す。したがって、消費者は、伸縮自在ウィッキング部８６の露出される表面積の量を変えることによって、増強水準放射モード中に知覚される強度水準を制御する能力を有する。ウィッキングばねアセンブリ７５が徐々に平衡状態に圧し戻されるにつれて、伸縮自在ウィッキング部８６は容器１の流体貯蔵器６に戻され、そこで、伸縮自在ウィッキング部８６は揮発性材料８に再び浸かって、揮発性材料８を再び取り込む。したがって、増強水準放射は、均一に供給されることができ、揮発性材料８が使い尽くされるまで消費者によって必要に応じて何度でも繰り返される。
【００８７】
増強水準放射の強度を高めるいかなる他の好適な手段も有用である。例えば、特定の他の実施形態では、デリバリーシステム内の揮発性材料は、ゲル又は液状ゲルの形態（図示せず）であってよい。そのような場合、ウィッキング部は、ウィッキング部への、ばね自体への、及び／又はパドルのように、ウィッキングばねに取り付けられるか若しくはそれに隣接することができる好適な供給装置への、揮発性ゲル組成物の取り込みを促進するように改善することができる。ゲルを取り込んだウィッキングばね自体及び／又は供給装置は、増強水準放射を供給する手段を提供することができる。平衡状態では、ウィッキング部及び／又は揮発性ゲル材料の最上層表面からの揮発性ゲル組成物の蒸発が、維持水準放射モードを提供する。それとは逆に、ゲルを取り込んだウィッキングばねが、非圧縮モードで容器から引き伸ばされると（図１５ｂの実施形態と同様）、揮発性ゲル材料のより大きな表面積蒸発が生じる。ウィッキングばねが徐々に平衡状態に戻るにつれて、増強水準放射が自動的に停止すると同時に、維持水準放射が自動的に復帰する。
【００８８】
図１６ａは、本発明のデリバリーシステム２００の別の実施形態の断面図を表す。装置の壁は、多孔性ではないいかなる材料から作られていてもよい。好ましくは、ガラス、プラスチック、セラミック又は金属から作られている。装置開口部２０３に隣接して漏れ捕捉体２０２を有する装置が示される。漏れ捕捉体２０２は、装置が倒れた場合に過剰の液体を保持することを目的とする貯蔵器である。装置２００の中心は、蒸発表面装置２０４である。この場合、蒸発表面装置２０４は、ウィッキング部である。１つの実施形態では、蒸発表面装置２０４は、蒸発表面装置内の圧力が蓄積するのを低減させるために、その中にスリットを有する。スリットは、規則的なパターンでも不規則なパターンでもよい。図１６ｂは、本発明のデリバリーシステムの別の実施形態の断面図を表し、ここではウィッキング部は中空２０６である。
【００８９】
図１７ａは、本発明のデリバリーシステムの別の実施形態の断面図を表し、ここでは揮発性物質放出穴２１０を有する保護装置２０８が、蒸発表面装置開口部全体又は一部分の上に配置される。これは、装置が倒れた場合に、蒸発液体の漏れを防ぐ代わりの手段として機能する。１つの実施形態では、保護装置は、揮発液体を捕捉してからそれを長期にわたりゆっくりと放出させることができる材料で作られる。好ましい材料には、紙、布及び不織布材料、並びに織物が挙げられる。保護装置は、該装置の外側に位置する支持体により、所定の位置に保持されることができる。
【００９０】
図１７ｂは、本発明のデリバリーシステムの別の実施形態の断面図を表し、ここでは圧力解放チューブ２１２がウィッキング部２０６に平行して位置する。圧力解放チューブ２１２は、システム内の圧力蓄積を軽減するのを助けるチューブ圧力解放弁２１４を有する。
【００９１】
図１８ａは、本発明のデリバリーシステムの別の実施形態の断面図を表し、ここでは圧力解放弁２１６が装置２００の貯蔵器の部分に位置する。図１８ｂは、本発明のデリバリーシステムの別の実施形態の断面図を表し、ここでは圧力解放チューブ２１８がウィッキング部２０６を横断して斜めの配置に位置する。
【００９２】
図１９は、装置２００の１つの実施形態が実際にどのように機能するかを示す。ユーザーが装置２００をひっくり返すと、その結果、揮発性液体２２２は重力によりウィッキング部２０６を通って引き込まれる。この図はまた、装置の構造に更なる支持を提供するため、又は装飾的な目的のためのオーバーラップ２２０の使用を示す。好ましくは、オーバーラップ２２０はプラスチックフィルムである。
【００９３】
図２０は、装置２００の１つの実施形態が、倒れてから立位に戻された場合にどのように機能するかを示す。ひっくり返ったばかりの装置２００は、装置上部の貯蔵器に揮発性液体２２２があり、重力によりウィッキング部２０６を通って引き込まれる。装置２００は、装置開口部に隣接して位置する漏れ捕捉体２０２を有する。装置が倒れると、漏れ捕捉体２０２及び貯蔵器２０３が揮発性液体２２２を保持する。装置が立位に戻されると、揮発性液体２２２は下部の貯蔵器、上部の漏れ捕捉体２２６、及び下部の漏れ捕捉体２２８に位置する。上部の漏れ捕捉体２２６にある揮発性液体は、装置が次にひっくり返されたときに排出される。下部の漏れ捕捉体２２８にある揮発性液体は、ウィッキング部を通って下部の貯蔵器に排出される。
【００９４】
図２１は、本発明のデリバリーシステムの別の実施形態の断面図を表し、ここでは装置２４０は、１つ以上の揮発性材料を大気に分配するために、複数の蒸発表面を使用している。この図では、同じ揮発性物質又は２つの異なる揮発性液体を分配できる、２つのウィッキング部を有するシステムが示される。各ウィッキング部２０６は中空であり、穴２０８を有する。更に、ウィッキング部２０６の中空部分に管２１０が配置される。
【００９５】
他の代替の実施形態において、デリバリーシステムは、１つ以上の揮発性材料の包み束又はパックを含むキットを含むことができる。前述の実施形態のいかなるものも、その最初の製品を消費者に提供することに加えて、同一物の詰め替え品を提供するのに使用されることができる。特定の非限定的な実施形態において、デリバリーシステムは、最初の製品で販売される揮発性材料以外の、又はそれらに加えて、様々な種類の揮発性材料（例えば、芳香剤組成物、悪臭低減組成物、殺虫剤、ムード増強組成物、又はこれらの組み合わせ）の選択肢を消費者に提供することを含んでよい。
【００９６】
本明細書全体にわたって言及した全ての特許、特許出願（及びそれに基づいて発行されたいずれの特許、並びに関連して発行されたいずれの外国特許出願も）、及び出版物の開示内容を本明細書に参考として組み込む。しかしながら、本明細書に参考として組み込まれる文献のいずれもが本発明を教示又は開示していないことを明言する。
【００９７】
本明細書全体を通じて記載されるあらゆる最大数値限定は、それよりも小さいあらゆる数値限定を、あたかもこうしたそれよりも小さい数値限定が本明細書に明確に記載されているかのように含むことが理解されるべきである。本明細書全体を通じて記載されるあらゆる最小数値限定は、それよりも大きいあらゆる数値限定を、あたかもこうしたそれよりも大きい数値限定が本明細書に明確に記載されているかのように含む。本明細書全体を通じて記載されるあらゆる数値範囲は、こうしたより広い数値範囲内に入る、それよりも狭いあらゆる数値範囲を、あたかもこうしたそれよりも狭い数値範囲が全て本明細書に明確に記載されているかのように含む。
【００９８】
本発明の特定の実施形態について記載したが、本発明の精神及び範囲から逸脱することなく本発明の様々な変更及び修正を実施できることが当業者には明らかであろう。更に、本発明を特定の具体的な実施形態と関連させて説明してきたが、これは説明を目的とするものであって、限定を目的とするものではなく、本発明の範囲は、添付の請求項によって定義され、請求項は従来技術が容認するのと同じくらい幅広く解釈されるべきであることを理解すべきである。
【００９９】
本明細書は、本発明を詳細に指摘し明確に請求する請求項をもって結論とするが、本発明は、添付の図面と併せてなされる以下の説明から、より一層理解が深まると考える。
【図面の簡単な説明】
【０１００】
【図１】デリバリーシステムの断面図。
【図２】デリバリーシステムの断面図。
【図３ａ】デリバリーシステムの断面図。
【図３ｂ】溝を有するデリバリーシステムの断面図。
【図４】デリバリーシステムの断面図。
【図５ａ】デリバリーシステムの側面図。
【図５ｂ】蒸発表面装置の断面図。
【図５ｃ】デリバリーシステムの断面図。
【図６】デリバリーシステムの断面図。
【図７ａ】デリバリーシステムの断面図。
【図７ｂ】デリバリーシステムの断面図。
【図８ａ】デリバリーシステムの断面図。
【図８ｂ】デリバリーシステムの断面図。
【図８ｃ】デリバリーシステムの断面図。
【図９ａ】デリバリーシステムの断面図。
【図９ｂ】デリバリーシステムの断面図。
【図９ｃ】デリバリーシステムの断面図。
【図９ｄ】デリバリーシステムの断面図。
【図１０ａ】デリバリーシステムの断面図。
【図１０ｂ】デリバリーシステムの断面図。
【図１０ｃ】プリーツ状のウィッキング部の断面図。
【図１１】デリバリーシステムの断面図。
【図１２】デリバリーシステムの断面図。
【図１３ａ】デリバリーシステムの斜視図。
【図１３ｂ】デリバリーシステムの平面図。
【図１３ｃ】デリバリーシステムの断面図。
【図１４】デリバリーシステムの斜視図。
【図１５ａ】デリバリーシステムの断面図。
【図１５ｂ】デリバリーシステムの断面図。
【図１６ａ】デリバリーシステムの断面図。
【図１６ｂ】デリバリーシステムの断面図。
【図１７ａ】デリバリーシステムの断面図。
【図１７ｂ】デリバリーシステムの断面図。
【図１８ａ】デリバリーシステムの断面図。
【図１８ｂ】デリバリーシステムの断面図。
【図１９】デリバリーシステムの断面図。
【図２０】デリバリーシステムの断面図。
【図２１】デリバリーシステムの断面図。
【図１】
2008538308.tif 000004
【図２】
2008538308.tif 000005
【図３ａ】
2008538308.tif 000006
【図３ｂ】
2008538308.tif 000007
【図４】
2008538308.tif 000008
【図５ａ】
2008538308.tif 000009
【図５ｂ】
2008538308.tif 000010
【図５ｃ】
2008538308.tif 000011
【図６】
2008538308.tif 000012
【図７ａ】
2008538308.tif 000013
【図７ｂ】
2008538308.tif 000014
【図８ａ】
2008538308.tif 000015
【図８ｂ】
2008538308.tif 000016
【図８ｃ】
2008538308.tif 000017
【図９ａ】
2008538308.tif 000018
【図９ｂ】
2008538308.tif 000019
【図９ｃ】
2008538308.tif 000020
【図９ｄ】
2008538308.tif 000021
【図１０ａ】
2008538308.tif 000022
【図１０ｂ】
2008538308.tif 000023
【図１０ｃ】
2008538308.tif 000024
【図１１】
2008538308.tif 000025
【図１２】
2008538308.tif 000026
【図１３ａ】
2008538308.tif 000027
【図１３ｂ】
2008538308.tif 000028
【図１３ｃ】
2008538308.tif 000029
【図１４】
2008538308.tif 000030
【図１５ａ】
2008538308.tif 000031
【図１５ｂ】
2008538308.tif 000032
【図１６ａ】
2008538308.tif 000033
【図１６ｂ】
2008538308.tif 000034
【図１７ａ】
2008538308.tif 000035
【図１７ｂ】
2008538308.tif 000036
【図１８ａ】
2008538308.tif 000037
【図１８ｂ】
2008538308.tif 000038
【図１９】
2008538308.tif 000039
【図２０】
2008538308.tif 000040
【図２１】
2008538308.tif 000041
【国際調査報告】
2008538308.tif 000042
2008538308.tif 000043
2008538308.tif 000044